(57)【要約】【課題】斎場のある葬祭施設において、葬祭施設の敷地内部に生花や食材を供給でき、葬儀終了後に、参列者に同一の物品を配布するという方法ではなく、参列者が自分の好む物品を葬祭施設と提携した店舗にて自由に購入できるような複合葬祭施設を開発する。【解決手段】斎場のある葬祭施設の区画内に、葬祭施設を中心として葬祭施設側及び葬祭施設の利用者並びに葬祭施設に関係を持たない利用者の３者が利用できる各種店舗を中庭と水路を介して配し、喪主が参列者に香典返しとして渡すプリペイドカードで飲食代や商品代の決済ができる複合葬祭施設を提供する。【選択図】        図１
2007140636.tif 000002
【特許請求の範囲】
【請求項１】
斎場のある葬祭施設を中心に有し、葬祭施設と同一の区画内において、葬祭施設の周囲に、葬祭施設側及び葬祭施設の利用者並びに葬祭施設に関係を持たない利用者の３者が利用できるような各種店舗を配設したことを特徴とする複合葬祭施設。
【請求項２】
各種店舗が小売店舗や飲食店舗や貸会場であり、該各種店舗が中庭によって葬祭施設から隔離されており、各種店舗の半数以上が上記中庭に面すると共に区画全体を画している外周の道路にも面していて葬祭施設の側からも外周の道路の側からも利用可能であるように構成されていることを特徴とする請求項１に記載の複合葬祭施設。
【請求項３】
斎場のある葬祭施設の周囲と、各種店舗の周囲と、葬祭施設と各種店舗を隔離する中庭に水路が設けられていることを特徴とする請求項１あるいは請求項２に記載の複合葬祭施設。
【請求項４】
カード書込み印字手段を有するカード発行手段、
カード読込み書込み手段を有するカード回収手段、
プリペイドカードを読込み、またプリペイドカードに書込み、さらにプリペイドカードに印字することのできる各種店舗のカード読込み書込み印字手段、
プリペイドカードと会計手段から読込まれたデータを演算処理できる演算部及びデータを記憶できる記憶部並びにキーボード、マウス、モニタ等の入出力手段を有する各種店舗のコンピュータ、
会計日、会計時刻、店名コード、商品番号と単価と個数と合計金額から構成される商品テーブル、を各種店舗のコンピュータに転送できる各種店舗の会計手段、
各種店舗のコンピュータ及びカード発行手段並びにカード回収手段から転送されたデータを演算処理できる演算部及びデータを記憶できる記憶部並びにキーボード、マウス、モニタ等の入出力手段を有する葬祭施設のコンピュータ、
カード発行手段と葬祭施設のコンピュータをデータの転送可能に連結する電気通信回線、
カード回収手段と葬祭施設のコンピュータをデータの転送可能に連結する電気通信回線、
葬祭施設のコンピュータと各種店舗のコンピュータをデータの転送可能に連結する電気通信回線、
を備えたカード決済システムにおいて、
カード発行手段にてプリペイドカードを発行する際に、カード書込み印字手段にてカード番号と発行日と有効期限日と決算日と残高と性別とカード番号と有効期限日の印字行と残高の印字行が書込まれたカードファイルをプリペイドカードの磁気記憶部に作成し、プリペイドカードにカード番号と発行日と有効期限日と残高を印字するステップ、
カードファイルを葬祭施設のコンピュータを介して各種店舗の夫々のコンピュータに電気通信回線を通じて転送するステップ、
各種店舗のカード読込み書込み印字手段にてプリペイドカードからカードファイルを読込んで各種店舗のコンピュータに転送し、各種店舗の会計手段から会計日と会計時刻と店名コードを読込んで各種店舗のコンピュータに転送し、各種店舗のコンピュータにてプリペイドカードから転送されたカードファイルのカード番号とカード発行手段から転送されたカードファイルのカード番号とを照合してプリペイドカードから読込まれたカード番号が適正か否かを判断するステップ、
カード番号が適正でない場合にはプリペイドカードをカード読込み書込み印字手段から排出するステップ、
会計日が有効期限日を過ぎていないかどうかを判断するステップ、
会計日が有効期限日を過ぎている場合にはプリペイドカードをカード読込み書込み印字手段から排出するステップ、
残高がゼロより大であるか否かを判断するステップ、
残高がゼロより大でない場合にはプリペイドカードをカード読込み書込み印字手段から排出するステップ、
各種店舗の会計手段から、商品番号、単価、個数、合計金額からなる商品テーブルを読込んだ後、各種店舗のコンピュータに転送するステップ、
商品テーブルに情報があるか否かを判断し、商品テーブルに情報がない場合にはバックマージンの演算のステップに移行し、商品テーブルに情報がある場合には、商品テーブルのデータに基づいて新たな残高を演算するステップ、
新たな残高が０より大か否かを判断し、新たな残高が０より大であれば新たな総合計金額を演算し、新たな残高と新たな総合計金額を売上げファイルに転送して商品テーブルに１を足して次の商品テーブルを読込むステップ、
新たな残高が０より大でなければ不足金額を演算して売上げファイルに転送し、新たな残高と総合計金額の和としての新たな総合計金額を演算して売上げファイルに転送し、売上げファイルの残高に０を転送するステップ、
総合計金額に一定のバックマージン率を乗じてバックマージンを演算し、総合計金額からバックマージンを減じて入金金額を演算し、入金金額と総合計金額を売上げファイルに転送するステップ、
売上げファイルに転送されているすべてのデータを売上げファイルに書込んだ後、売上げファイルを電気通信回線を通じて葬祭施設のコンピュータに転送するステップ、
カード番号と発行日と会計日と有効期限日と決算日と店名コードと総合計金額と不足金額と入金金額とバックマージンを決算用ファイルに転送し書込んだ後、決算用ファイルを電気通信回線を通じて葬祭施設のコンピュータに転送するステップ
残高をカードファイルに転送し書込むステップ、
残高をプリペイドカードの裏面の印字領域に印字するステップ、
カードファイルの残高の印字行に１を足すステップ、
カードファイルを電気通信回線を通じて葬祭施設のコンピュータに転送するステップ、
プリペイドカードをカード読込み書込み印字手段から排出するステップ、
各種店舗のコンピュータにおいて、決算日を入力することにより決算日が一致する決算用ファイルのみを順次読込み、各決算用ファイルの入金金額を合計して請求金額とするステップ、
決算日と店名コードと請求金額とを請求用ファイルに転送し書き込み、請求用ファイルを作成するステップ、
該請求用ファイルを電気通信回線を通じて葬祭施設のコンピュータに転送するステップ、
カード回収手段にてプリペイドカードを回収する際に、カード読込み書込み手段によりカードファイルを読込んで電気通信回線を通じて葬祭施設のコンピュータに転送した後、カードファイルのカード番号の記憶領域に、予め定められた廃棄カードを意味するデータを書込むステップ、
を含むカード決済システムを有することを特徴とする請求項１あるいは請求項２あるいは請求項３に記載の複合葬祭施設。
【請求項５】
カードファイルの性別の記憶領域に男性を意味する記号が書込まれたカードとカードファイルの性別の記憶領域に女性を意味する記号が書込まれたカードが、カードの表面の色彩あるいは絵柄あるいは文字により明確に区別可能であるように構成されているカード決済システムを有することを特徴とする請求項４に記載の複合葬祭施設。
【請求項６】
カード発行手段が葬祭施設の斎場の入口近傍に設置され、カード回収手段が水路の各所に設けられた手洗所に添接して設置されているカード決済システムを有することを特徴とする請求項４あるいは請求項５に記載の複合葬祭施設。
【発明の詳細な説明】
【技術分野】
【０００１】
本発明は、斎場のある葬祭施設を中心に有し、葬祭施設と同一の区画内において、葬祭施設の周囲に、葬祭施設側及び葬祭施設の利用者並びに葬祭施設に関係を持たない利用者の３者が利用できるような各種店舗を配設したことを特徴とする複合葬祭施設に関するものである。
【０００２】
さらに詳しくは、各種店舗が小売店舗や飲食店舗であり、該各種店舗が中庭によって葬祭施設から隔離されており、各種店舗の半数以上が上記中庭に面すると共に区画全体を画している外周の道路にも面していて葬祭施設の側からも外周の道路の側からも利用可能であるように構成されていることを特徴とする上記複合葬祭施設に関するものである。
【０００３】
また、斎場のある葬祭施設の周囲と、葬祭施設及び葬祭施設における葬儀の参列者及び区画外からの利用客の３者が利用できるような各種店舗の周囲と、葬祭施設と各種店舗を隔離する中庭に水路が設けられていることを特徴とする上記複合葬祭施設に関するものである。
【０００４】
さらに、喪主が葬祭施設から一定金額のプリペイドカードを購入し、葬儀の参列者に、喪主から上記プリペイドカードが配布され、葬儀の参列者は、斎場のある葬祭施設の周辺に配設されている各種店舗にて、上記プリペイドカードを用いて飲食費用や商品の購入費用の決済が可能であるカード決済システムを有することを特徴とする前記複合葬祭施設である。
【背景技術】
【０００５】
市街地における従来の葬祭施設は、斎場と葬祭を執り行うのに必要な各種の設備を中心として、これに参列者の控室や会食のできるホール等の施設を１基のビルディングの中にレイアウトするという構成が殆どであった。ビルディングは外周の道路に略接するように建てられていて、外観は、通常のオフィスビルと余り異なるところはないものが多かった。
【０００６】
近年は、主に利便性の観点から、自宅や寺院において葬儀を行なうよりも、このような葬祭施設において葬儀を行なう傾向が強く、特に都市部においてはその傾向は顕著である。しかしながら、このような１基のビルディングの中に斎場と葬祭を執り行うのに必要な各種の設備を中心とした各種の施設をレイアウトするという構成に、全く問題点がないというわけではない。
【０００７】
まず、一つの問題点は、このような施設はその殆どが市街地にあるために、葬儀やその後の会食に必要な資材で葬祭施設の内部で揃わないものを、葬儀が行なわれる都度に、その時刻に間に合うように車両にて搬入しなければならないという点である。祭壇や机や椅子の類は無論葬祭施設の内部に常備しておけば良いが、祭壇等に飾る花や会食の調理に必要な食材は鮮度の問題から葬祭施設の内部にての貯蔵にも限界があり、その都度生花店や食材店から車両によって搬入しているのが現状である。
【０００８】
しかしながら、生花店や食材店から葬祭施設まで距離がある場合には、やはり鮮度が落ちるという問題もある。さらに、交通事情によっては搬入が必要な時刻に間に合わなくなる懼れもあり、車両の手配や搬入係員の手配、さらに葬祭施設の内部における貯蔵等各種の問題が発生する。また、葬祭施設のどこかに車両搬入口を設けねばならないが、葬祭施設にはタクシーや自家用車等常時大量の車両が出入りするので、搬入車両の動線と他の車両の動線が重ならないようにしなければならず、この問題が施設の設計の自由度を引き下げる結果となっている。
【０００９】
従って、この問題の解決手段としては、葬祭施設の敷地内部に生花や食材を供給できる施設の設置が望まれるということになるが、従来、葬祭施設の敷地内部に生花や食材を供給できる施設を設けた例は見られなかった。
【００１０】
次に、喪主が、葬儀終了後、葬儀の参列者の一人一人に配布する、所謂「香典返し」と称する物品の問題がある。「香典返し」は、以前は葬儀終了後、一定期間が経過してから、喪主が葬儀の参列者の一人一人に適切な物品を持参あるいは宅配便等にて配送していたので、葬祭施設の側にては、喪主に、カタログ等にて適切な物品を斡旋するという形が主流であった。
【００１１】
しかるに、近年は、諸事万端スピードアップの風潮にあって「香典返し」もその例外ではなく、葬儀開始前に喪主が葬祭施設等から予め適切な物品を購入するという形で葬儀の会場に参列者の数だけ用意しておき、葬儀の終了後、参列者の一人一人に配布してその場にて参列者に持ち帰ってもらうという方法が普及しつつある。
【００１２】
従来、「香典返し」は、物品の選択から持参・配送に至るまで、葬儀終了後、長期間に亘って喪主側に多大な労力と精神的な負担を強いるものであったが、上記のようにその場にて参列者に持ち帰ってもらうという方法の普及により、喪主側の労力と精神的な負担は大幅に軽減されることとなった。すなわち、従来は、葬儀終了後１ヶ月位後に至るまで「香典返し」の負担感が継続したものが、葬儀終了と同時に負担感が除去されるので、喪主側においては積極的にこの方法を取り入れる風潮が盛んになってきている。
【００１３】
また、この風潮は、葬祭施設の側においても、ある程度纏まった物品の購入となるので、葬儀費用の見積もりも立てやすく、好都合な方法である。しかし、参列者の側においては問題が生じることとなった。
【００１４】
すなわち、これまでは、葬儀に参列しても「香典返し」が届けられるのは葬儀後かなりの時間を経てからであるので、葬儀の会場から帰宅するときは、浄めの塩や挨拶状等を持ち帰るだけで済んだ。しかるに、上記のような方法の場合には、葬儀後手渡された物品を持ち帰らねばならないという負担が生じる。物品が軽くて嵩張らないものであれば問題はないが、思いものや嵩張るものを渡されると、特に公共交通にて葬儀会場に来ている参列者にとってはかなりの負担となる。
【００１５】
また、従来のように、葬儀終了後一定期間が経過してから喪主側が「香典返し」を持参あるいは配布する方法の場合には、喪主側にて参列者一人一人の好みを考えながら物品を選択できるので、参列者が自分の好まない物品を受け取るという場合は余り多くなかった。しかるに、上記のように参列者全員に同一の物品を配布するという方法の場合には、どうしても参列者によっては意に沿わない物品を受け取らねばならないというケースが生じてしまう。
【００１６】
このような事態を回避するためには、葬儀終了後に、参列者に同一の物品を配布するという方法ではなく、参列者が自分の好む物品を葬祭施設と提携した店舗にて自由に購入できるような方法を考えれば良いことになる。ちなみに、このような方法を「香典返し」の１方法として用いている例は、これまで存在しなかった。
【００１７】
過去の特許文献では、上記のように葬祭施設の敷地内部に生花や食材を供給できる施設を設けた例は見られなかった。そこで、さらに検索の範囲を広げて、中心となる施設に関連する施設を複合させた例を探ったところ、下記に掲げる２つの特許文献が見出された。いずれも高齢者用の複合施設であり、下記特許文献１は、同一のエリア内にエリア全体を管理するための診療所を有する管理センターと、高齢者がその家族と一緒に居住するための家族介護住宅と、エリア内の住人を収容して介護するための介護老人施設と、デーサービスセンター等と、エリア内の住人を介護する介護者を管理するための研修センターとを含むものである。また、下記特許文献２は、高齢者が生活するに適した複合施設で、健常者を受け入れる健常棟と要介護者を受け入れる介護棟とを、建物としては互いに独立して存在させると共に、渡り廊下をもって互いに行き来自由に連絡し、健常棟の管理情報を集中管理する健常棟情報センターと介護棟の管理情報を集中管理する介護棟情報センターとを有し、両センターの管理情報が互いに利用可能になるように両センターの管理情報が共有された高齢者用複合施設およびその運用方法である。しかしながら、この２例は、いずれも前述のように高齢者用の複合施設であるため、複合葬祭施設の設計の際の参考にはならなかった。
【特許文献１】特開２００２‐２７６２０３号公報
【特許文献２】特開２００４‐２３９０１２号公報
【発明の開示】
【発明が解決しようとする課題】
【００１８】
以上のような状況から、本発明の解決しようとする課題を、以下のように設定した。
＜課題１＞
斎場のある葬祭施設において、葬祭施設の敷地内部に少なくとも生花や食材を供給できる店舗を有する複合葬祭施設を開発する。
＜課題２＞
葬儀終了後に、参列者に同一の物品を配布するという方法ではなく、参列者が自分の好む物品を葬祭施設と提携した店舗にて自由に購入できるような方法を考える。
【課題を解決するための手段】
【００１９】
本発明は、上記課題を解決するためになされたものであって、以下に述べる解決手段を提供するものである。
＜解決手段１＞
斎場のある葬祭施設を中心に有し、葬祭施設と同一の区画内において、葬祭施設の周囲に、葬祭施設側及び葬祭施設の利用者並びに葬祭施設に関係を持たない利用者の３者が利用できるような各種店舗を配設したことを特徴とする複合葬祭施設。
＜解決手段２＞
各種店舗が小売店舗や飲食店舗や貸会場であり、該各種店舗が中庭によって葬祭施設から隔離されており、各種店舗の半数以上が上記中庭に面すると共に区画全体を画している外周の道路にも面していて葬祭施設の側からも外周の道路の側からも利用可能であるように構成されていることを特徴とする解決手段１に記載の複合葬祭施設。
＜解決手段３＞
斎場のある葬祭施設の周囲と、各種店舗の周囲と、葬祭施設と各種店舗を隔離する中庭に水路が設けられていることを特徴とする請求項１あるいは請求項２に記載の複合葬祭施設。
＜解決手段４＞
カード書込み印字手段を有するカード発行手段、
カード読込み書込み手段を有するカード回収手段、
プリペイドカードを読込み、またプリペイドカードに書込み、さらにプリペイドカードに印字することのできる各種店舗のカード読込み書込み印字手段、
プリペイドカードと会計手段から読込まれたデータを演算処理できる演算部及びデータを記憶できる記憶部並びにキーボード、マウス、モニタ等の入出力手段を有する各種店舗のコンピュータ、
会計日、会計時刻、店名コード、商品番号と単価と個数と合計金額から構成される商品テーブル、を各種店舗のコンピュータに転送できる各種店舗の会計手段、
各種店舗のコンピュータ及びカード発行手段並びにカード回収手段から転送されたデータを演算処理できる演算部及びデータを記憶できる記憶部並びにキーボード、マウス、モニタ等の入出力手段を有する葬祭施設のコンピュータ、
カード発行手段と葬祭施設のコンピュータをデータの転送可能に連結する電気通信回線、
カード回収手段と葬祭施設のコンピュータをデータの転送可能に連結する電気通信回線、
葬祭施設のコンピュータと各種店舗のコンピュータをデータの転送可能に連結する電気通信回線、
を備えたカード決済システムにおいて、
カード発行手段にてプリペイドカードを発行する際に、カード書込み印字手段にてカード番号と発行日と有効期限日と決算日と残高と性別とカード番号と有効期限日の印字行と残高の印字行が書込まれたカードファイルをプリペイドカードの磁気記憶部に作成し、プリペイドカードにカード番号と発行日と有効期限日と残高を印字するステップ、
カードファイルを葬祭施設のコンピュータを介して各種店舗の夫々のコンピュータに電気通信回線を通じて転送するステップ、
各種店舗のカード読込み書込み印字手段にてプリペイドカードからカードファイルを読込んで各種店舗のコンピュータに転送し、各種店舗の会計手段から会計日と会計時刻と店名コードを読込んで各種店舗のコンピュータに転送し、各種店舗のコンピュータにてプリペイドカードから転送されたカードファイルのカード番号とカード発行手段から転送されたカードファイルのカード番号とを照合してプリペイドカードから読込まれたカード番号が適正か否かを判断するステップ、
カード番号が適正でない場合にはプリペイドカードをカード読込み書込み印字手段から排出するステップ、
会計日が有効期限日を過ぎていないかどうかを判断するステップ、
会計日が有効期限日を過ぎている場合にはプリペイドカードをカード読込み書込み印字手段から排出するステップ、
残高がゼロより大であるか否かを判断するステップ、
残高がゼロより大でない場合にはプリペイドカードをカード読込み書込み印字手段から排出するステップ、
各種店舗の会計手段から、商品番号、単価、個数、合計金額からなる商品テーブルを読込んだ後、各種店舗のコンピュータに転送するステップ、
商品テーブルに情報があるか否かを判断し、商品テーブルに情報がない場合にはバックマージンの演算のステップに移行し、商品テーブルに情報がある場合には、商品テーブルのデータに基づいて新たな残高を演算するステップ、
新たな残高が０より大か否かを判断し、新たな残高が０より大であれば新たな総合計金額を演算し、新たな残高と新たな総合計金額を売上げファイルに転送して商品テーブルに１を足して次の商品テーブルを読込むステップ、
新たな残高が０より大でなければ不足金額を演算して売上げファイルに転送し、新たな残高と総合計金額の和としての新たな総合計金額を演算して売上げファイルに転送し、売上げファイルの残高に０を転送するステップ、
総合計金額に一定のバックマージン率を乗じてバックマージンを演算し、総合計金額からバックマージンを減じて入金金額を演算し、入金金額と総合計金額を売上げファイルに転送するステップ、
売上げファイルに転送されているすべてのデータを売上げファイルに書込んだ後、売上げファイルを電気通信回線を通じて葬祭施設のコンピュータに転送するステップ、
カード番号と発行日と会計日と有効期限日と決算日と店名コードと総合計金額と不足金額と入金金額とバックマージンを決算用ファイルに転送し書込んだ後、決算用ファイルを電気通信回線を通じて葬祭施設のコンピュータに転送するステップ
残高をカードファイルに転送し書込むステップ、
残高をプリペイドカードの裏面の印字領域に印字するステップ、
カードファイルの残高の印字行に１を足すステップ、
カードファイルを電気通信回線を通じて葬祭施設のコンピュータに転送するステップ、
プリペイドカードをカード読込み書込み印字手段から排出するステップ、
各種店舗のコンピュータにおいて、決算日を入力することにより決算日が一致する決算用ファイルのみを順次読込み、各決算用ファイルの入金金額を合計して請求金額とするステップ、
決算日と店名コードと請求金額とを請求用ファイルに転送し書き込み、請求用ファイルを作成するステップ、
該請求用ファイルを電気通信回線を通じて葬祭施設のコンピュータに転送するステップ、
カード回収手段にてプリペイドカードを回収する際に、カード読込み書込み手段によりカードファイルを読込んで電気通信回線を通じて葬祭施設のコンピュータに転送した後、カードファイルのカード番号の記憶領域に、予め定められた廃棄カードを意味するデータを書込むステップ、
を含むカード決済システムを有することを特徴とする解決手段１あるいは解決手段２あるいは解決手段３に記載の複合葬祭施設。
＜解決手段５＞
カードファイルの性別の記憶領域に男性を意味する記号が書込まれたカードとカードファイルの性別の記憶領域に女性を意味する記号が書込まれたカードが、カードの表面の色彩あるいは絵柄あるいは文字により明確に区別可能であるように構成されているカード決済システムを有することを特徴とする解決手段４に記載の複合葬祭施設。
＜解決手段６＞
カード発行手段が葬祭施設の斎場の入口近傍に設置され、カード回収手段が水路の各所に設けられた手洗所に添接して設置されているカード決済システムを有することを特徴とする解決手段４あるいは解決手段５に記載の複合葬祭施設。
【発明の効果】
【００２０】
本発明の解決手段１の発明によれば、葬祭施設の側においては、葬儀の執行や葬儀後の会食に必要な物品を葬祭施設の周囲にある店舗から調達できる。例えば、店舗の１例として生花店があれば、祭壇等に飾る生花を常に新鮮な状態で必要なときに即時に調達可能である。また、店舗の１例として食材店があれば、葬儀後の会食の調理のために必要な食材を常に新鮮な状態で必要なときに即時に調達可能である。さらに、店舗の１例として飲食店や貸会場があれば、葬儀後の会食の執行にあたって葬祭施設内の未使用ホールがなくなった場合に、飲食店や貸会場を借りて葬儀後の会食を執行することが可能である。
【００２１】
また、生花や食材が敷地内の店舗から調達できるようになっていれば、生花や食材を敷地外からトラックで搬入する必要がなく、そのため、葬祭施設の搬入口の規模を縮小できる。葬祭施設において最も頻繁に搬入が必要な資材は生花と食材であるので、これらを敷地内にて調達できるようにすることにより、搬入口に出入りする搬入用車両の数も相当に減らすことができるので、葬祭施設の設計の際の車両動線のレイアウトに自由度が増す。
【００２２】
また、葬祭施設の利用者である喪主や参列者の側においては、葬祭施設の周囲に飲食店があれば、葬儀の開始時刻より早めに葬祭施設に到着した場合に待機場所として用いたり、葬儀終了後に飲食や交流に利用することができる。また、コンビニエンスストアがあれば、香典袋や数珠等を忘れた場合にもすぐに調達できて便利であるし、飲料や軽食を調達することもできる。さらに、各種店舗は葬祭施設の内部ではなく周囲に配設されているので、葬祭施設に関係を持たない利用者、即ち、葬祭施設側でもなく葬祭施設を利用する喪主や参列者でもないごく一般の利用者も抵抗感を持つことなく利用することが可能である。
【００２３】
本発明の解決手段２の発明によれば、各種店舗の大部分を、葬祭施設側や葬祭施設の利用者が利用することもでき、かつ該葬祭施設とは全く関係を持たない外周の道路の通行人もごく普通の店舗を利用するのと全く同一の感覚にて抵抗感を持たずに利用することが可能である。
【００２４】
また、各種店舗が中庭によって隔離されているので、葬祭施設として必要な荘厳さや静粛性が確保され、且つ葬儀の参列者が中庭を休息施設や散策路、あるいは参列者相互の交流空間として活用することが可能である。
【００２５】
本発明の解決手段３の発明によれば、水路が葬祭施設及び各種店舗及び中庭を結びつけ、これにより葬儀の参列者に全体としての統一感を与えることができる。また、水路のそこここに池を造ることにより、葬儀の参列者の気分を和らげ、視覚的にも和らいだ雰囲気を醸成できるものである。
【００２６】
水路と池は、葬祭施設や各種店舗の外構部分だけではなく、建物内部にも設けることにより、さらに全体の統一感を増すことができる。また、建物内部においても、葬儀の参列者や各種店舗の利用者に落ち着きや安らぎを与えることができる。
【００２７】
本発明の解決手段４の発明によれば、喪主は、葬儀に参列した参列者にプリペイドカードを配布するのみで所謂「香典返し」のプロセスが終了するので、非常に簡便で、「香典返し」の負担感を解消することができる。
【００２８】
また、葬儀の参列者側においても、葬儀後、従来の「香典返し」のように嵩張る物品を渡されないので非常に楽であり、特に公共交通にて葬儀に参列した参列者においては帰路の負担感が大幅に解消される。このため、葬儀後に、葬儀の参列者間にての相互交流がより自由に行なえるようになるものである。
【００２９】
また、従来の「香典返し」のように葬儀の参列者が全員同一の物品を手渡されるのではなく、葬祭施設の周囲の各種店舗にて参列者各自がプリペイドカードを自由に使用することができるので、結果として葬儀の参列者の一人一人の好みに沿った「香典返し」が可能となる。
【００３０】
例えば、葬祭施設の周囲の店舗に生花店があれば、花の好きな参列者は該生花店にて自分の好きな花を買うことができる。また、ノベルティ雑貨店があれば、参列者は自分の好みに合った雑貨品を買うことができる。さらに食材店があれば、参列者は好きな食材を買うことができる。また、物品の購入だけではなく、周囲の店舗にレストランや喫茶店があれば受領したプリペイドカードにて飲食を行なうこともできるし、貸会場があれば、気の合った参列者同士で会場を借りて故人を偲ぶ交流会を行なうこともできる。さらに、葬祭施設の駐車場料金の支払いに用いることも可能であるし、葬祭施設が提携するタクシー会社のタクシー料金の支払いに当てることも可能である。
【００３１】
また同じく本発明の解決手段４の発明によれば、上記プリペイドカードを用いたカード決済システムをハードウェアとソフトウェアを用いて実行することができ、しかも、葬祭施設のコンピュータにも各種店舗のコンピュータにも同一のファイルが残されるので、葬祭施設の側からも各種店舗の側からもカードの使用状況を完全に追跡・確認することができる。
【００３２】
さらに、上記プリペイドカードを用いたカード決済システムにおいて、プリペイドカードの磁気記憶部にカード番号、発行日、有効期限日、決算日、残高、性別、カード番号と発行日と有効期限日の印字行、残高の印字行が記憶されたカードファイルを有し、裏面の印字領域にカード番号と発行日と有効期限日及び残高が印字され、男性用と女性用に区別されたプリペイドカードをカード発行機から発行し、かつ、発行されたプリペイドカードのカードファイルを、電気通信回線を通じて葬祭施設のコンピュータに転送し、かつ電気通信回線を通じ葬祭施設のコンピュータを介して各種店舗のコンピュータにも転送することができる。
【００３３】
さらに、プリペイドカードを各種店舗のカード読込み書込み印字手段にて読込むことにより、プリペイドカードのカード番号が適正か否か、あるいは有効期限日を過ぎていないかどうか、あるいは残高がゼロより大であるか否かを判断することができる。また、プリペイドカードのカードファイルのデータと各種店舗の会計手段のデータからプリペイドカードの残高を更新し、少なくともカード番号と発行日と会計日と有効期限日と決算日と残高と店名コードと商品テーブルと総合計金額と不足金額と性別が書込まれた売上げファイルを各種店舗のコンピュータ内に作成することができる。
【００３４】
さらに、総合計金額に一定のバックマージン率を乗じてバックマージンの演算を行い、総合計金額からバックマージンを減じて入金金額の演算を行い、少なくともカード番号と発行日と会計日と有効期限日と決算日と残高と店名コードと商品テーブルと総合計金額と不足金額と性別とバックマージンと入金金額が書込まれた売上げファイルを各種店舗のコンピュータ内に作成することができ、かつ、該売上げファイルを電気通信回線を通じて葬祭施設のコンピュータに転送することもできる。
【００３５】
すなわち、葬祭施設の側に顧客の紹介料として支払われるバックマージンの額が、プリペイドカードが使用される度に明確に計算され、その金額を各種店舗の側と葬祭施設の側が同時に把握することができる。また、決算日に各種店舗の側から葬祭施設の側に請求される金額の一部となる入金金額も、プリペイドカードが使用される度に明確に計算され、その金額を各種店舗の側と葬祭施設の側が同時に把握することができる。
【００３６】
さらに、少なくともカード番号と発行日と会計日と有効期限日と決算日と店名コードと総合計金額と不足金額とバックマージンと入金金額が記載された決算用ファイルを各種店舗のコンピュータ内に作成することができ、該決算用ファイルを電気通信回線を通じて葬祭施設のコンピュータに転送することもできる。決算用ファイルは各種店舗のコンピュータ内の記憶部及び葬祭施設のコンピュータ内の記憶部に記憶される。
【００３７】
決算用ファイルは、決算日に各種店舗が葬祭施設に対して発行する請求書の原資料となるものであるが、該決算用ファイルが、プリペイドカードが使用される度に各種店舗のコンピュータ内にも葬祭施設のコンピュータ内にも作成されるので、決算日における請求書の作成を簡単に行うことができ、かつ、各種店舗の側においても葬祭施設の側においても、決算用ファイルを請求明細あるいは内訳として詳細に確認することが可能である。
【００３８】
さらに、使用後の残高がカードファイルに書込まれ、使用後の残高が裏面の印字領域に印字されたプリペイドカードを使用者に返却することができ、さらに更新されたカードファイルを電気通信回線を通じて葬祭施設のコンピュータに転送できる。すなわち、葬祭施設の側にては、発行された総てのプリペイドカードの使用状況を逐一オンラインにて把握することができる。
【００３９】
さらに、各種店舗において各種店舗のコンピュータに決算日を入力するだけで各種店舗のコンピュータの記憶部から決算用ファイルが読込まれ、各決算用ファイルの入金金額が合計されて請求金額が演算され、決算日と店名コードと請求金額とが記載された請求用ファイルが作成され、該請求用ファイルが電気通信回線を通じて葬祭施設のコンピュータに転送される。すなわち、決算日を入力するだけで請求書に当たる請求用ファイルの作成と発行が自動的に行われるものである。
【００４０】
さらに、プリペイドカードの使用時にカードファイルと売上げファイルと決算用ファイルが各種店舗のコンピュータと葬祭施設のコンピュータに同時に作成され、かつ、決算時に請求用ファイルが各種店舗のコンピュータと葬祭施設のコンピュータに同時に作成される。すなわち、各種店舗の側にては、これらのファイルによって店舗の商品販売状況や施設の利用状況が簡単に確認でき、将来的に商品の品揃えや各種の企画の立案にデータとして活かしていくことができる。また、葬祭施設の側においても全く同一のファイルを持てるので、これらのファイルによって、葬儀の参列者のカード使用状況を詳細に検討することができ、それにより各種店舗に対して商品構成や売り場のレイアウトや各種企画の開催等に関するさまざまなアドバイスが可能となる。また、将来建設を予定する同様の複合葬祭施設の設計やテナント募集に関して重要な資料を得ることができる。
【００４１】
特に、プリペイドカードが男性用と女性用に区別されているので、これにより、葬儀後の参列者の男女別の各種店舗の利用傾向を把握することができ、これら男女別のデータは、商品構成や各種の企画の立案に大いに役立てることができるものである。
【００４２】
さらに、カード回収手段に回収されたプリペイドカードのカード番号が電気通信回線を通じて葬祭施設のコンピュータに転送されるので、葬祭施設の側では回収されたプリペイドカードを特定することができる。したがって、葬祭施設の側では、回収されたプリペイドカードに関しては、その発行から回収までの全履歴を把握することが可能である。また、回収されたプリペイドカードのカードファイルのカード番号の記憶領域には、葬祭施設が予め定めた廃棄カードを意味するデータが書込まれるので、回収されたプリペイドカードが再利用される惧れがなくなる。
【００４３】
本発明の解決手段５の発明によれば、プリペイドカードが外観からも男性用であるか女性用であるかを明確に区別することができるので、カードの発行時に、男性には男性用のプリペイドカードを、女性には女性用のプリペイドカードを間違いなく手渡すことができるものである。
【００４４】
本発明の解決手段６の発明によれば、カード発行手段が葬祭施設の斎場の入口近傍に設置されているので、斎場から退出する参列者にプリペイドカードを手渡すのに非常に便利であり、かつ「香典返し」としての意味も参列者に円滑に伝わるものである。また、カード回収手段が水路の各所に設けられた手洗所に添接して設置されているので、複合葬祭施設を立ち去る前に手を洗い口を漱ぐという参列者の行動パターンを利用してプリペイドカードの回収率を高めることができる。
【発明を実施するための最良の形態】
【００４５】
本発明を実施するための最良の形態を、図面を参照しながら詳細に説明する。なお、以下に説明する実施例１は、請求項１〜７に記載の発明の１実施例である。
【実施例１】
【００４６】
図１は、本発明の実施例１の複合葬祭施設１の１階部分の概略の平面図、図２は２階部分の概略の平面図、図３は３階部分の概略の平面図、図４は４階部分の概略の平面図、図５は南側から見た概略の立面図、図６は北側から見た概略の立面図、図７は西側から見た概略の立面図である。なお、図１〜図４にては図面上方が北であり、矢印Ｎは北を表す。
【００４７】
なお、１１は複合葬祭施設１の敷地である。敷地１１は略長方形状で、北を外周道路Ｒ１に画され、西を外周道路Ｒ２に画され、南を外周道路Ｒ３に画され、東を隣接区画Ｒに画されている。図１にて、２は斎場のある葬祭施設であり、敷地１１の東に寄せられて建てられた地上７階建て（地下部分駐車場）のビルディングである。Ｅ１は葬祭施設２の正面玄関、ＥＶはエレベータであり、葬祭施設２の正面玄関Ｅ１とその近傍は２階分の吹き抜け構造となっている。
【００４８】
また、図３、図４にて、ＳＨ１〜ＳＨ３は斎場、ＢＳは控室、ＲＢはロビー、ＷＣはトイレ、ＱＴは給湯室、ＭＣは機械室である。実施例１の葬祭施設２は地上７階建てであるが、葬祭施設２の内部構造詳細は本発明の要旨には余り関係がないので、５階以上の図面は省略する。なお、図３、図４において、斎場ＳＨ１〜ＳＨ３の前に設置されているＣＳは、後述のプリペイドカードＰＰ１、ＰＰ２（図９ａ、図９ｂ参照）を発行するカード発行機であり、カード発行機ＣＳは、斎場ＳＨ１〜ＳＨ３で執り行なわれる葬儀における受付が設けられる位置に設置されているものである。カード発行機ＣＳは、５階以上の各斎場（図示せず）の前にも設置されている。
【００４９】
３は葬祭施設２の周囲に配設された各種店舗である。葬祭施設２の北側には２階建てのレストラン３１が配され、葬祭施設２の西側には２階建ての多目的ホール３２、平屋の生花店３３、平屋のノベルティ雑貨店３４、２階建ての食料品店３５、２階建ての喫茶店３６が配され、葬祭施設２の南側には平屋のコンビニエンスストア３７が配されている。これらのうち、多目的ホール３２は店舗というよりは施設と呼ぶべきであるという見方もあり得るかもしれないが、利用料金を徴収して空間を提供するという点から、ここでは店舗の一種と看做すものである。
【００５０】
各種店舗３は、レストラン３１を除いて、葬祭施設２から中庭４１〜４３を隔てて配されている。すなわち、多目的ホール３２は北側の中庭４１を隔てて配され、生花店３３とノベルティ雑貨店３４と食料品店３５は西側の中庭４２を隔てて配され、喫茶店３６とコンビニエンスストア３７は南側の中庭４３を隔てて配されている。また、レストラン３１の一部も中庭４１を隔てて配されている。但し、南側の中庭４３は上部に何もなく、天空に解放されているが、北側の中庭４１と西側の中庭４２は３階分の吹き抜け構造となっていて、上部には葬祭施設２の４階以上の部分が位置する。したがって、北側の中庭４１と西側の中庭４２は、葬祭施設２の３階以下の部分が接していない部分においても、全体が透明ガラス構造の外壁に覆われており、外観的には葬祭施設２の建物構造の一部のように目視される（図５、図６、図７参照）。
【００５１】
したがって、図１にては、多目的ホール３２、生花店３３、ノベルティ雑貨店３４、食料品店３５は、葬祭施設２から中庭４１、４２を隔てて配されているように見えるが、外観的には葬祭施設２の建物構造に接しているように見える（図５、図６、図７参照）。なお、喫茶店３６とコンビニエンスストア３７は外観的にも葬祭施設２から隔離されている。
【００５２】
レストラン３１の北側と多目的ホール３２の北側は前庭４４に面し、前庭４４は北側の外周道路Ｒ１に接している。多目的ホール３２の西側と生花店３３の西側とノベルティ雑貨店３４の西側と食料品店３５の西側と喫茶店３６の西側は前庭４５に面し、前庭４５は西側の外周道路Ｒ２に接している。喫茶店３６の南側とコンビニエンスストア３７の南側は前庭４６に面し、前庭４６は南側の外周道路Ｒ３に接している。
【００５３】
前庭４４には、レストラン３１と多目的ホール３２の搬入用トラックヤード４４ａが設けられている。また、前庭４５には、多目的ホール３２と生花店３３とノベルティ雑貨店３４の搬入用トラックヤード４５ａ、食料品店３５と喫茶店３６の搬入用トラックヤード４５ｂが設けられている。さらに、前庭４６にはコンビニエンスストアの駐車場兼搬入用トラックヤード４６ａが設けられている。また、４６ｂは駐輪場である。
【００５４】
このように、外周道路Ｒ１、Ｒ２、Ｒ３から直接出入り可能なトラックヤード４４ａ、４５ａ、４５ｂ、と駐車場兼搬入用トラックヤード４６ａを有しているため、各種店舗３への資材の搬入が、極めて楽に行なえるものである。なお、必要が生じれば各種店舗３への資材の搬入は、葬祭施設２の地下駐車場（図示せず）からエレベータＥＶを経由して行なうことも可能である。また、搬入用トラックヤード４４ａ、４５ａ、４５ｂと駐車場兼搬入用トラックヤード４６ａには舗石を敷設しておけば、搬入のない時には歩行者用通路として利用できる。
【００５５】
４７ａは中庭４１と前庭４４を連絡する通路であり、４７ｂは中庭４２と前庭４５を連絡する通路であり、４７ｃは中庭４３と前庭４６を連絡する通路である。通路４７ａは多目的ホール３２の２階部分が天井となっているが、通路４７ｂと通路４７ｃには天井はない。通路４７ａ、４７ｂ、４７ｃは歩行者のみの使用を前提としている。
【００５６】
敷地１１の南東端には植え込み５１が設けられていて、植え込み５１の西側に外周道路５３に面して車両入口５２が設けられ、東側に同じく外周道路５３に面して車両出口５３が設けられている。車両入口５２、車両出口５３の北側は車寄せ５７となっていて、車寄せ５７の北に葬祭施設２の正面玄関Ｅ１が設けられている。
【００５７】
車両入口５２の西側には、外周道路５３に面して地下駐車場入口５４と地下駐車場出口５５が設けられていて、葬祭施設２の地下部分の地下駐車場（図示せず）に入る車両は地下駐車場入口５４より進入し、地下駐車場から出る車両は地下駐車場出口５５から外周道路Ｒ３に出る。また、地下駐車場入口５４と地下駐車場出口５５の北側には客待ちのタクシーのためのタクシーヤード５６が設けられている。なお、実施例１にては、葬祭施設２の駐車場は地下に設けたが、葬祭施設２の地上部分のいずれかに設けても良いし、独立した駐車場ビルとして設けても良い。
【００５８】
中庭４１、４２、４３、前庭４４、４５、４６、通路４７ａ、４７ｂ、４７ｃ、さらに葬祭施設２の１階部分とレストラン３１の１階部分には、相互に連結されて一体となった浅い（水深１０ｃｍ程度）水路６が設けられている。また、水路６の葬祭施設２の１階部分には泉Ｆ１のある池６１が、水路６の中庭４１の部分には泉Ｆ２のある池６２が、水路６の中庭４２の部分には池６３が、水路６の中庭４３の部分には池６４が、水路６のレストラン３１の１階部分には池６５が、水路６の前庭４４と前庭４５が接合する部分には池６６が、水路６の前庭４５の部分には池６７が、水路６の前庭４６の部分には池６８が、夫々設けられている。
【００５９】
水路６は中庭４１、４２、４３、前庭４４、４５、４６、通路４７ａ、４７ｂ、４７ｃ、さらに葬祭施設２の１階部分とレストラン３１の１階部分を水により連絡することによって、複合葬祭施設１全体の一体感を利用者に印象付ける役割を果たすと共に、景観構成上の重要な要素ともなるものである。また、池６１〜６８も景観構成上の重要な要素であり、特に池６４、６６は建築物が池面に映りこむ景観構成上の効果を有するものである。なお、池６１、６２、６３、６４、６６、６７、６８の傍らに設置されているＷＨは手洗所で、葬儀の参列者は、葬儀終了後手洗所ＷＨにて手を洗い、口を漱ぐことができる。また、手洗所ＷＨの傍らに設置されているＣＥは、後述のプリペイドカードＰＰ１、ＰＰ２（図９ａ、図９ｂ参照）を回収するカード回収機である。
【００６０】
葬祭施設２には前述の正面玄関Ｅ１の他に、北側に中庭４１と連絡する出入口Ｅ２が設けられており、さらに葬祭施設２の１階部分とレストラン３１の１階部分を連絡する出入口Ｅ３が設けられている。したがって、葬祭施設２には、正面から正面玄関Ｅ１を通じて出入りできる他、中庭４１からも自由に出入りでき、レストラン３１からも自由に出入りできる。
【００６１】
また、レストラン３１には、先述の出入口Ｅ３の他、中庭４１と連絡する出入口Ｅ４、前庭４４と連絡する出入口Ｅ５、さらにレストラン３１の２階部分と多目的ホールの２階部分を連絡する出入口Ｅ６（図２参照）が設けられている。したがってレストラン３１には、中庭４１からも外周道路Ｒ１に接した前庭４４からも自由に出入りできるので、葬儀の参列者以外に、葬祭施設２に関係を持たない敷地１１外からの一般の利用者も、複合葬祭施設１の一部であることを全く意識することなく利用できる。また、多目的ホール３２の利用者が２階部分を通じて自由に利用することも可能である。
【００６２】
多目的ホール３２には、先述の出入口Ｅ６の他、中庭４１と連絡する出入口Ｅ７、前庭４５と連絡する出入口Ｅ８が設けられている。したがって多目的ホール３２には、中庭４１からも外周道路Ｒ２に接した前庭４５からも自由に出入りできるので、喪主や葬儀の参列者以外に、葬祭施設２に関係を持たない敷地１１外からの一般の利用者も、複合葬祭施設１の一部であることを全く意識することなく利用できる。また、レストラン３１の利用者が２階部分を通じて自由に利用することも可能である。
【００６３】
生花店３３には、中庭４１と連絡する出入口Ｅ９、前庭４５と連絡する出入口Ｅ１０が設けられている。したがって生花店３３には、中庭４１からも外周道路Ｒ２に接した前庭４５からも自由に出入りできるので、葬祭施設２の職員や喪主や葬儀の参列者以外に、葬祭施設２に関係を持たない敷地１１外からの一般の利用者も、複合葬祭施設１の一部であることを全く意識することなく利用できる。
【００６４】
ノベルティ雑貨店３４には、中庭４２と連絡する出入口Ｅ１１、前庭４５と連絡する出入口Ｅ１２が設けられている。したがってノベルティ雑貨店３４には、中庭４２からも外周道路Ｒ２に接した前庭４５からも自由に出入りできるので、喪主や葬儀の参列者以外に、葬祭施設２に関係を持たない敷地１１外からの一般の利用者も、複合葬祭施設１の一部であることを全く意識することなく利用できる。
【００６５】
食料品店３５には、中庭４２と連絡する出入口Ｅ１３、前庭４５と連絡する出入口Ｅ１４、さらに、食料品店３５の１階部分には喫茶店３６の１階部分と連絡する出入口Ｅ１５が設けられている。したがって食料品店３５には、中庭４２からも外周道路Ｒ２に接した前庭４５からも自由に出入りできるので、葬祭施設２の職員や喪主や葬儀の参列者以外に、葬祭施設２に関係を持たない敷地１１外からの一般の利用者も、複合葬祭施設１の一部であることを全く意識することなく利用できる。また、喫茶店３６の利用者も自由に利用できる。
【００６６】
喫茶店３６には、先述の食料品店３５と連絡する出入口Ｅ１５の他、中庭４３と連絡する出入口Ｅ１６、前庭４６と連絡する出入口Ｅ１７が設けられている。したがって喫茶店３６には、中庭４３からも外周道路Ｒ３に接した前庭４５からも自由に出入りできるので、葬祭施設２の職員や喪主や葬儀の参列者以外に、葬祭施設２に関係を持たない敷地１１外からの一般の利用者も、複合葬祭施設１の一部であることを全く意識することなく利用できる。また、食料品店３５の利用者も自由に利用できる。
【００６７】
コンビニエンスストア３７には、中庭４３と連絡する出入口Ｅ１８、外周道路Ｒ３と直接連絡する出入口Ｅ１９が設けられている。したがってコンビニエンスストア３７には、中庭４３からも外周道路Ｒ３からも自由に出入りできるので、葬祭施設２の職員や喪主や葬儀の参列者以外に、葬祭施設２に関係を持たない敷地１１外からの一般の利用者も、複合葬祭施設１の一部であることを全く意識することなく利用できる。
【００６８】
次に、葬儀の参列者が各種店舗において使用できるプリペイドカードシステム、即ち、解決手段４〜６にいうカード決済システムについて詳細に説明する。図８にて、ＣＰ２は葬祭施設２のコンピュータ、Ｍ２はコンピュータＣＰ２に結線されたモニタである。ＣＳ、ＣＳ、…は斎場ＳＨ１〜ＳＨ３（図３、図４参照）の前に設置されたカード発行機ＣＳであり、電気通信回線ｎを通じてコンピュータＣＰ２に結ばれている。なお、前述のように、５階以上にある各斎場（図示せず）の前にもカード発行機ＣＳが設置されており、これらのカード発行機ＣＳも電気通信回線ｎを通じてコンピュータＣＰ２に結ばれている。また、ＣＥ、ＣＥ、…は手洗所ＷＨ（図１参照）に添接して設置されたカード回収機であり、電気通信回線ｎを通じてコンピュータＣＰ２に結ばれている。
【００６９】
カード発行機ＣＳの詳細を図１０ａに示す。カード発行機ＣＳは、角柱状の本体ＣＳ１の前面に、男性用のプリペイドカードＰＰ１（図９ａ参照）を発行する発行口ＣＳ２と、女性用のプリペイドカードＰＰ２（図９ｂ参照）を発行する発行口ＣＳ３が設けられていて、発行口ＣＳ２、ＣＳ３の内部には印字機能を有するカードライタＳＣＷが設けられている。カードライタＳＣＷを有するカード発行機ＣＳは解決手段４における「カード書込み印字手段を有するカード発行手段」の１例である。
【００７０】
発行口ＣＳ２の上にはボタンＣＳ４があり、発行口ＣＳ３の上にはボタンＣＳ５がある。ボタンＣＳ４を１回押すごとに男性用のプリペイドカードＰＰ１が発行口ＣＳ２から１枚発行され、ボタンＣＳ５を１回押すごとに女性用のプリペイドカードＰＰ２が発行口ＣＳ３から１枚発行されるが、この際、プリペイドカードＰＰ１、ＰＰ２の裏面の磁気記憶部Ｍ（図９ｃ参照）には後述のカードファイルＦＣ（図１１ａ参照）が書込まれ、プリペイドカードＰＰ１、ＰＰ２の裏面の印字領域ＰＲ１、ＰＲ２（図９ｃ参照）には後述のようにカード番号ＣＮ、発行日Ｄ１、有効期限Ｄ３、残額ＭＺが印字される。なお、図１０ａにおいては、電源コードや電気通信回線用のコード、プリペイドカードＰＰ１、ＰＰ２の備蓄分の図示は省略している。また、プリペイドカードＰＰ１、ＰＰ２の物理的な発行機構も公知技術であるので省略している。
【００７１】
図１０ｂはカード回収機ＣＥで、カード回収機ＣＥは、角柱状の本体ＣＥ１の前面に、カード挿入口ＣＥ２が設けられており、使用済みのプリペイドカードＰＰ１、ＰＰ２がこのカード挿入口ＣＥ２に挿入され、本体ＣＥ１の内部に蓄積されるという構成になっている。本体ＣＥ１の背面には図示しない扉（鍵つき）が設けられていて、本体ＣＥ１の内部にある程度プリペイドカードＰＰ１、ＰＰ２が蓄積されると、この扉を開いて回収する。また、ＣＥ３はカード挿入口ＣＥ２を雨水や塵芥から保護する庇である。
【００７２】
カード挿入口ＣＥ２の内部にはカードリーダライタＥＣＲが設けられていて、カード挿入口ＣＥ２に挿入されたプリペイドカードのカード番号ＣＮを電気通信回線ｎ（図８参照）を通じて葬祭施設２のコンピュータＣＰ２に転送した後、カード番号ＣＮの記憶領域に葬祭施設２が予め定めた廃棄カードを意味するデータ（一例として任意の数字とアルファベットの組み合わせ）を書込む。なお、図１０ｂにおいては、電源コードや電気通信回線用のコード等は省略している。また、カードリーダライタＥＣＲを有するカード回収機ＣＥは、解決手段４における「カード読込み書込み手段を有するカード回収手段」の１例である。
【００７３】
再び図８に戻って、ＣＰ３１はレストラン３１のコンピュータ、Ｍ３１はコンピュータＣＰ３１に結線されたモニタ、ＲＧ３１はレストラン３１のレジスタ、ＣＲ３１はレストラン３１のカードリーダライタであり、レジスタＲＧ３１とカードリーダライタＣＲ３１は、コンピュータＣＰ３１に結線されている。ＣＰ３２は多目的ホール３２のコンピュータ、Ｍ３２はコンピュータＣＰ３２に結線されたモニタ、ＲＧ３２は多目的ホール３２のレジスタ、ＣＲ３２は多目的ホール３２のカードリーダライタであり、レジスタＲＧ３２とカードリーダライタＣＲ３２は、コンピュータＣＰ３２に結線されている。
【００７４】
ＣＰ３３は生花店３３のコンピュータ、Ｍ３３はコンピュータＣＰ３３に結線されたモニタ、ＲＧ３３は生花店３３のレジスタ、ＣＲ３３は生花店３３のカードリーダライタであり、レジスタＲＧ３３とカードリーダライタＣＲ３３は、コンピュータＣＰ３３に結線されている。ＣＰ３４はノベルティ雑貨店３４のコンピュータ、Ｍ３４はコンピュータＣＰ３４に結線されたモニタ、ＲＧ３４はノベルティ雑貨店３４のレジスタ、ＣＲ３４はノベルティ雑貨店３４のカードリーダライタであり、レジスタＲＧ３４とカードリーダライタＣＲ３４は、コンピュータＣＰ３４に結線されている。
【００７５】
ＣＰ３５は食料品店３５のコンピュータ、Ｍ３５はコンピュータＣＰ３５に結線されたモニタ、ＲＧ３５は食料品店３５のレジスタ、ＣＲ３５は食料品店３５のカードリーダライタであり、レジスタＲＧ３５とカードリーダライタＣＲ３５は、コンピュータＣＰ３５に結線されている。ＣＰ３６は喫茶店３６のコンピュータ、Ｍ３６はコンピュータＣＰ３６に結線されたモニタ、ＲＧ３６は喫茶店３６のレジスタ、ＣＲ３６は喫茶店３６のカードリーダライタであり、レジスタＲＧ３６とカードリーダライタＣＲ３６は、コンピュータＣＰ３６に結線されている。
【００７６】
ＣＰ３７はコンビニエンスストア３７のコンピュータ、Ｍ３７はコンピュータＣＰ３７に結線されたモニタ、ＲＧ３７はコンビニエンスストア３７のレジスタ、ＣＲ３７はコンビニエンスストア３７のカードリーダライタであり、レジスタＲＧ３７とカードリーダライタＣＲ３７は、コンピュータＣＰ３７に結線されている。なお、上記レジスタＲＧ３１〜３７は解決手段４における「会計日、会計時刻、店名コード、商品番号と単価と個数と合計金額から構成される商品テーブル、を各種店舗のコンピュータに転送できる各種店舗の会計手段」の１例であり、上記カードリーダライタＣＲ３１〜３７は解決手段４における「プリペイドカードを読込み、またプリペイドカードに書込み、さらにプリペイドカードに印字することのできる各種店舗のカード読込み書込み印字手段」の１例である。また、コンピュータ２は、解決手段４における「各種店舗のコンピュータ及びカード発行手段並びにカード回収手段から転送されたデータを演算処理できる演算部及びデータを記憶できる記憶部並びにキーボード、マウス、モニタ等の入出力手段を有する葬祭施設のコンピュータ」の１例であり、コンピュータＣＰ３１〜３７は、解決手段４における「プリペイドカードと会計手段から読込まれたデータを演算処理できる演算部及びデータを記憶できる記憶部並びにキーボード、マウス、モニタ等の入出力手段を有する各種店舗のコンピュータ」の１例である。
【００７７】
なお、コンピュータＣＰ３１〜ＣＰ３７は夫々が、電気通信回線ｎを用いて葬祭施設２のコンピュータＣＰ２に結ばれている。電気通信回線ｎは、専用回線でもインターネット回線でも良いが、葬祭施設２と各種店舗３の距離が極めて近いことを考えると、セキュリティの面や通信速度の面から、専用回線で結ぶのが望ましい。中でも、複合葬祭施設１全体の建築時に、専用回線を敷設しておくのがさらに望ましい。また、図８にては、キーボードやマウス等の極一般的な入力装置の図示は省略しているが、コンピュータ２、コンピュータ３１〜３７は当然そのような入力装置を有するものである。
【００７８】
次に、プリペイドカードＰＰ１、ＰＰ２の構成につて詳細に説明する。以下に説明するプリペイドカードＰＰ１、ＰＰ２は、請求項４〜６に記載の「プリペイドカード」の１例である。図９ａに示すプリペイドカードＰＰ１は喪主が葬儀の参列者のうち男性に手渡すプリペイドカードであり、図９ｂに示すプリペイドカードＰＰ２は喪主が葬儀の参列者のうち女性に手渡すプリペイドカードである。プリペイドカードＰＰ１とＰＰ２は、額面金額Ｋ１とＫ２は同一金額であるが、色面ＣＬ１と色面ＣＬ２の色が一見してわかる程度に変えてある。色面ＣＬ１の色は１例として濃い青色とし、色面ＣＬ２の色は１例として淡い紫色とすることができる。なお、ＮＮは葬祭施設２の名称である。
【００７９】
図９ｃはプリペイドカードＰＰ１の裏面を示す。プリペイドカードＰＰ１の裏面には、上部に帯状の磁気記憶部Ｍが設けられ、磁気記憶部Ｍの下部に印字領域ＰＲ１、ＰＲ２が設けられている。印字領域ＰＲ１にはプリペイドカードＰＰ１に固有のカード番号ＣＮ、プリペイドカードＰＰ１の発行日Ｄ１、プリペイドカードＰＰ１の有効期限日Ｄ３が印字された状態を示している。また、印字領域ＰＲ２には複数の印字行が設けられていて、プリペイドカードＰＰ１が使用されるごとにその残額ＭＺが順次印字される。図９ｃのプリペイドカードＰＰ１では、発行後１回使用されて残額ＭＺが当初の３０００円から２６００円に更新された状態を示している。プリペイドカードＰＰ２の裏面は示さないが、プリペイドカードＰＰ１の裏面と同様に構成されているものである。
【００８０】
磁気記憶部Ｍには、図１１ａに示すようにカードファイルＦＣが設けられている。カードファイルＦＣには、プリペイドカードＰＰ１のカード番号ＣＮ、発行日Ｄ１、有効期限日Ｄ３、決算日Ｄ４、残高ＭＺ、性別ＧＥ、カード番号ＣＮと発行日Ｄ１と有効期限日Ｄ３の印字行ＰＬ１、残高の印字行ＰＬ２の各記憶領域が設けられている。このカードファイルＦＣは、プリペイドカードＰＰ１がカード発行機ＣＳ（図１０ａ参照）から発行される際に、カード発行機ＣＳ内部にてカード番号ＣＮ、発行日Ｄ１、有効期限日Ｄ３、決算日Ｄ４、残高ＭＺ、性別ＧＥ、印字行ＰＬ１、ＰＬ２があらかじめ書込まれる（このステップは図示せず）。
【００８１】
すなわち、カード番号ＣＮは複数桁の数字とアルファベットの組み合わせとして書込まれ、プリペイドカードＰＰ１の固有の番号となる。発行日Ｄ１にはプリペイドカードＰＰ１が発行された日が６桁の数字で書込まれ、有効期限日Ｄ３はプリペイドカードＰＰ１の有効期限日が６桁の数字で書込まれ、決算日Ｄ４は各種店舗３のコンピュータＣＰ３１〜３７においてプリペイドカードによる売上げの決算が行われる日が６桁の数字で書込まれている。また、残高ＭＺには発行時には額面金額Ｋ１が書込まれ、性別ＧＥには、プリペイドカードＰＰ１の場合は男性を表すＭが、プリペイドカードＰＰ２の場合は女性を表すＦが、夫々書込まれている。
【００８２】
また、印字行ＰＬ１には印字領域ＰＲ１（図９ｃ）へカード番号ＣＮと発行日Ｄ１と有効期限日Ｄ３を印字する指示が書込まれ、印字行ＰＬ２には印字領域ＰＲ２（図９ｃ）の１行目へ残高ＺＡ（発行時には額面金額Ｋ１と同一）を印字する指示が書込まれている。プリペイドカードＰＰ１は、印字行ＰＬ１、ＰＬ２の指示によりカード発行機ＣＳ内のカードライタＳＣＷ（図１０ａ参照）のプリンタ（図示せず）により予めカード番号ＣＮと発行日Ｄ１と有効期限日Ｄ３及び残高ＺＡ（額面金額Ｋ１と同一）が印字された状態にて発行される。また、カード発行機ＣＳ、ＣＳ、…はコンピュータ２と電気通信回線ｎで結ばれており、コンピュータ２と各種店舗３に設置されたコンピュータＣＰ３１〜３７も電気通信回線ｎで結ばれているので、プリペイドカードＰＰ１が発行されると同時に、プリペイドカードＰＰ１のカードファイルＦＣは、電気通信回線ｎを経由して葬祭施設２のコンピュータＣＰ２と各種店舗３に設置されたコンピュータＣＰ３１〜３７に転送される（このステップも図示せず）。
【００８３】
また、各種店舗３に設置されたコンピュータＣＰ３１〜３７の記憶部内には、図１０ｂ〜図１０ｃに示す各種のファイルが予め設けられている。図１０ｂは売上げファイルＦＳで、カード番号ＣＮ、発行日Ｄ１、会計日Ｄ２、有効期限日Ｄ３、決算日Ｄ４、残高ＭＺ、会計時刻ＴＭ、店名コードＳＣ、商品テーブルＩＴ、総合計金額ＭＴ、不足金額ＭＭ、入金金額ＭＩ、バックマージンＢＭ、性別ＧＥの各記憶領域が設けられている。商品テーブルＩＴは複数個設けられており（図１０ｂにては１０個）、各商品テーブルＩＴ内には商品番号Ｉｎ、単価Ｉｄ、個数Ｉｓ、合計金額Ｉｍの各記憶領域が設けられている。この売上げファイルＦＳは、初期状態では各記憶領域とも空白となっている。即ち、各記憶領域に書込みのない基本フォーマットの状態で保存されている。
【００８４】
図１０ｃは、各種店舗３のコンピュータＣＰ３１〜３７が決算日に決算を行うために用いる決算用ファイルＦＴ１、ＦＴ２、……で、カード番号ＣＮ、発行日Ｄ１、会計日Ｄ２、有効期限日Ｄ３、決算日Ｄ４、店名コードＳＣ、総合計金額ＭＴ、不足金額ＭＭ、入金金額ＭＩ、バックマージンＢＭの各記憶領域が設けられている。さらに、図１０ｄは、各種店舗３が葬祭施設２に対して請求書を発行する際に用いる請求用ファイルＦＢで、決算日Ｄ４、店名コードＳＣ、請求金額ＢＡ、件数ＤＮの各記憶領域が設けられている。この決算用ファイルＦＴ、請求用ファイルＦＢも、初期状態では各記憶領域とも空白となっている。即ち、各記憶領域に書込みのない基本フォーマットの状態で保存されている。
【００８５】
次に、本発明におけるカード決済システムのプログラムの構成について図面を参照しながら説明する。このプログラムは、ステップ１〜ステップ６（Ｓ１〜Ｓ６）の各ステップが順次実行される流れ図として構成されるが、この流れがほぼそのまま本発明におけるカード決済システムの作用の流れにもなっている。まず、斎場ＳＨ１（図３参照）にて葬儀が執り行なわれる場合、葬儀の会葬者はロビーＲＢのカード発行機ＣＳ近傍に設けられた受付（図示せず）にて香典を手渡し、斎場ＳＨ１内に入って拝礼し、退席する。退席時に、会葬者が男性の場合には受付の係員がカード発行機ＣＳのボタンＣＳ４（図１０ａ）を押してプリペイドカードＰＰ１（図９ａ）を発行し、会葬者に手渡す。また、会葬者が女性の場合には受付の係員がカード発行機ＣＳのボタンＣＳ５（図１０ａ）を押してプリペイドカードＰＰ２（図９ｂ）を発行し、会葬者に手渡す。プリペイドカードＰＰ１、ＰＰ２には発行時に、磁気記憶部ＭにカードファイルＦＣ（図１１ａ）が書込まれ、さらに印字領域ＰＲ１にカード番号ＣＮ、発行日Ｄ１、有効期限日Ｄ３が印字され、印字領域ＰＲ２に残高ＺＡ（発行時は額面金額Ｋ１、Ｋ２と同じ額）が印字された状態（図９ｃ参照）であることは前述の通りである。
【００８６】
この際に、受付の係員から、このプリペイドカードＰＰ１、ＰＰ２は、裏面に印字された有効期限日Ｄ３内であるなら、額面金額Ｋ１、Ｋ２の範囲内で、葬祭施設２の周囲の各種店舗３にて、現金と同様に使用できるものであることが説明される。図９ｃにては、発行日Ｄ１と有効期限日Ｄ３を同一とした例を示しているが、無論、有効期限日Ｄ３が発行日Ｄ１の後にくるならば、発行日Ｄ１と有効期限日Ｄ３をどのように設定しても良い。ただ、プリペイドカードＰＰ１、ＰＰ２が所謂「香典返し」の代用となるものであること、及び、多くの会葬者が、別の日に複合葬祭施設１の周辺を訪れる機会はさほど多くないと思われることから、発行日Ｄ１と有効期限日Ｄ３を同一日とするのは極めて現実的な方法であるといえる。すなわち、この場合には、プリペイドカードＰＰ１、ＰＰ２は発行日当日限り有効のカードとなる。
【００８７】
斎場ＳＨ１にて行われる葬儀の会葬者全員にプリペイドカードＰＰ１、ＰＰ２が配布された段階で、葬祭施設２のコンピュータＰＣ２には既にプリペイドカードＰＰ１、ＰＰ２の総発行枚数が記録されているので、葬祭施設２側は額面金額Ｋ１（Ｋ２）に総発行枚数を乗じた金額を、葬儀の主催者に対する葬儀費用の請求書の１項目として計上する。
【００８８】
プリペイドカードＰＰ１、ＰＰ２を手渡された会葬者は、額面金額Ｋ1（Ｋ２）と裏面に印字された発行日Ｄ１、有効期限日Ｄ３、残額ＭＺを確認して、これを、各種店舗３にて決済（会計）に使用する。たとえば、会葬者のうちの一人の男性が、プリペイドカードＰＰ１をレストラン３１（図１参照）にて使用すると仮定して、以下の説明を行う。
【００８９】
使用者（上記男性）は、レストラン３１にて飲食を行った後、レストラン３１のレジにて会計をする。この際、レジ担当者は、まずレジスタＲＧ３１（図８参照）を操作して飲食代金を計算し、使用者に告知する。告知を受けた使用者は、プリペイドカードＰＰ１を取り出し、該カードにての飲食代金の決済をレジ担当者に申し出る。レジ担当者はプリペイドカードＰＰ１をカードリーダライタＣＲ３１に挿入して、ステップ１（Ｓ１、図１２参照）が開始される。
【００９０】
プリペイドカードＰＰ１の磁気記憶部Ｍに記憶されているカードファイルＦＣ（図１１ａ）がカードリーダライタＣＲ３１にて読込まれると（ステップＳ１０１）、カードファイルＦＣのデータの大部分、即ち、カード番号ＣＮ、発行日Ｄ１、有効期限日Ｄ３、決算日Ｄ４、残高ＭＺ、性別ＧＥは、カードリーダライタＣＲ３１からコンピュータＰＣ３１内の売上げファイルＦＳに転送される（ステップＳ１０２）。
【００９１】
売上げファイルＦＳは前述のように図１１ｂに示す各記憶領域を有しているファイルで、コンピュータＰＣ３１内の記憶部に予め記憶されているが、初期状態にては、どの記憶領域も空白となっている。この、記憶部の売上げファイルＦＳが読み込まれて、そのカード番号ＣＮ、発行日Ｄ１、有効期限日Ｄ３、決算日Ｄ４、残高ＭＺの各記憶領域に、カードファイルＦＣのカード番号ＣＮ、発行日Ｄ１、有効期限日Ｄ３、決算日Ｄ４、残高ＭＺの各記憶領域に書込まれたデータが転送されるものである。さらに、レジスタ３１より、会計日Ｄ２、会計時刻ＴＭ、店名コードＳＣが、コンピュータＣＰ３１の売上げファイルＦＳに転送される（ステップＳ１０３）。
【００９２】
次に、カードリーダライタＣＲ３１から読込んだカードファイルＦＣのカード番号ＣＮを、プリペイドカードＰＰ１の発行時に発行機ＣＳからコンピュータＣＰ２を介してコンピュータＣＰ３１に転送済みの複数のカードファイルＦＣのカード番号ＣＮと照合し（ステップＳ１０４）、同一のカード番号ＣＮが見つかれば、プリペイドカードＰＰ１のカード番号ＣＮは適正であると判断して次のステップ（ステップＳ１０６）に移る。もし、同一のカード番号ＣＮが見つからない場合には、プリペイドカードＰＰ１のカード番号ＣＮは適正ではないと判断し、コンピュータＣＰ３１からカードリーダライタＣＲ３１にカード返却の命令が送られ、カードリーダライタＣＲ３１はプリペイドカードＰＰ１を排出して（ステップＳ１０５）、プリペイドカードＰＰ１は使用者に返却される。
【００９３】
プリペイドカードＰＰ１が適正であると判断されれば、次に、レジスタＲＧ３１から読込んだカードファイルＦＣの会計日Ｄ２を、同じくカードファイルＦＣの有効期限日Ｄ３と照合し（ステップＳ１０６）、会計日Ｄ２が有効期限日Ｄ３と一致するか、あるいは会計日Ｄ２が有効期限日Ｄ３より以前であれば、プリペイドカードＰＰ１は有効であるとして次のステップ（ステップＳ１０８）に進む。もし、会計日Ｄ２が有効期限日Ｄ３を過ぎていれば、プリペイドカードＰＰ１は無効であるとして、コンピュータＣＰ３１からカードリーダライタＣＲ３１にカード返却の命令が送られ、カードリーダライタＣＲ３１はプリペイドカードＰＰ１を排出して（ステップＳ１０７）、プリペイドカードＰＰ１は使用者に返却される。
【００９４】
次に、カードリーダライタＣＲ３１から読込んだカードファイルＦＣの残高ＭＺが０より大きいか否かを判断する（ステップＳ１０８）。残高ＭＺが０より大きい場合には、プリペイドカードＰＰ１が使用可能であると判断して次のステップ２（Ｓ２）に移る。もし、残高ＭＺが０の場合には、プリペイドカードＰＰ１は使用不可能であると判断し、コンピュータＣＰ３１からカードリーダライタＣＲ３１にカード返却の命令が送られ、カードリーダライタＣＲ３１はプリペイドカードＰＰ１を排出して（ステップＳ１０９）、プリペイドカードＰＰ１は使用者に返却される。
【００９５】
上記のようにして、プリペイドカードＰＰ１が適正なものであり（カード番号ＣＮの一致）、かつ有効（有効期限日Ｄ３を過ぎていない）であり、かつ使用可能（残高ＭＺが０より大きい）であることが判断されれば、図１３に示すステップ２（Ｓ２）に進む。ステップ２（Ｓ２）においては、まず、レジスタＲＧ３１より商品テーブルＩＴ（ｎ）が、コンピュータＣＰ３１内の売上げファイルＦＳに読込まれる。なお、この際に、コンピュータＣＰ３１内の売上げファイルＦＳはコンピュータＣＰ３１の演算部に予め読込まれていることは当然である。商品テーブルＩＴ（ｎ）は、図１１ｂに見るように、商品番号Ｉｎ、単価Ｉｄ、個数Ｉｓ、合計金額Ｉｍの４つの記憶領域を有しており、ｎは１から始まり、１ずつ大となる整数である。このような構成の商品テーブルＩＴが複数（図１１ｂにてはｎ＝１〜１０の１０個）設けられている。
【００９６】
商品番号Ｉｎは、各種店舗３の夫々において、自店の商品を特定するために用いられるコードで、独自のものを作成しても良いし、既存のバーコードシステムを流用しても良い。また、単価Ｉｄ、個数Ｉｓ、合計金額Ｉｍは夫々が複数桁の数字列となる。例えば、使用者がレストラン３１にて単価４００円のコーヒーを一杯飲んで、プリペイドカードＰＰ１にて決済（会計）をする場合には、レジスタＲＧ３１に商品番号Ｉｎとしてコーヒーの商品番号が記憶され、単価Ｉｄとして４００、個数Ｉｓとして１、合計金額Ｉｍとして４００が記憶され、これらのデータがそのままコンピュータＣＰ３１内の売上げファイルＦＳの商品テーブルＩＴ（ｎ＝１）の各記憶領域に転送される。このステップがＳ２０１である。
【００９７】
次に、商品テーブルＩＴ（ｎ）にデータがあるか否かが判断されるが（ステップＳ２０２）、上記の場合（ｎ＝１）には、商品番号Ｉｎ、単価Ｉｄ、個数Ｉｓ、合計金額Ｉｍの夫々にデータがあるので、次のステップ（Ｓ２０３）に進む。ステップＳ２０３にては、残高ＭＺから合計金額Ｉｍを差し引いた金額が新たな残高ＭＺとして求められ、さらにステップＳ２０４にてこの新たな残高ＭＺが０より大か否かが判断され、０より大、即ち、残高ＭＺが正の数となった場合には合計金額Ｉｍと総合計金額ＭＴの和としての新たな総合計金額ＭＴが演算される（ステップＳ２０５）。すなわち、商品テーブルＩＴ（１）の合計金額Ｉｍが総合計金額ＭＴに足されて新たな総合計金額ＭＴが求められる。このようにして求められた新たな総合計金額ＭＴは売上げファイルＦＳの総合計金額ＭＴの記憶領域に転送され（ステップＳ２０６）、総合計金額ＭＴは新たな総合計金額ＭＴに書き換えられる。
【００９８】
次に、商品テーブルＩＴ（ｎ）のｎに１が足される（ステップＳ２０７）。この場合には、ｎ＝１から始まったのでｎは１を足されて２となり、ループでステップＳ２０１に戻って、レジスタＲＧ３１の商品テーブルＩＴ（２）がコンピュータＰＣ３１内の売上げファイルＦＳに読込まれる。次に、商品テーブルＩＴ（１）の場合と同様に、商品テーブルＩＴ（２）にデータがあるか否かが判断されるが（ステップＳ２０２）、商品テーブルＩＴ（２）にデータがない場合、即ち、商品テーブルＩＴ（ｎ）のｎが１の場合にしかデータがなければ、次のステップ３（Ｓ３）に進む。
【００９９】
もし、商品テーブルＩＴ（２）にデータがある場合、例えば、プリペイドカードＰＰ１の使用者がコーヒーだけでなくケーキも注文していた場合には、ケーキの商品番号Ｉｎ、単価Ｉｄ、個数Ｉｓ、合計金額Ｉｍが読込まれて、先のコーヒーの場合同様に、残高ＭＺ−合計金額Ｉｍ＝新たな残高ＭＺが演算され（ステップＳ２０３）、その結果が０より大か否かが判断され（ステップＳ２０４）、０より大の場合には新たな総合計金額ＭＴが演算されて（ステップＳ２０５）、新たな総合計金額ＭＴと新たな残高ＭＺが売上げファイルＦＳに転送される（ステップＳ２０６）。このようにして、商品テーブルＩＴ（ｎ）にデータがなくなるまで上記一連のステップが繰り返される。
【０１００】
その途中で、ステップＳ２０４にてもし残高ＭＺから合計金額Ｉｍを差し引いた新たな残高ＭＺが０か０より小であると判断された場合には、ループをはずれてステップＳ２０８に進み、残高ＭＺから合計金額Ｉｍを差し引いた金額（負の数）を、符号を反転させて不足金額ＭＭ（正の数）として演算し、次に、ステップＳ２０９にてこの不足金額ＭＭを売上げファイルＦＳに転送する。次にステップＳ２１０にて残高ＭＺと総合計金額ＭＴの和として新たな総合計金額ＭＴを求め、次のステップＳ２１１にてこの新たな総合計金額ＭＴを売上げファイルＦＳに転送する。この新たな総合計金額ＭＴは、プリペイドカードＰＰ１が発行されたときの残高ＭＺ（即ち額面金額Ｋ１）と一致する。そして最後に売上げファイルＦＳの残高ＭＺに０を転送して（ステップＳ２１２）、次のステップ３（Ｓ３、図１４参照）に進む。なお、不足金額ＭＭが０でない場合には、使用者は、不足金額ＭＭを現金で支払うように求められる。
【０１０１】
次のステップ３（Ｓ３）にては、各種店舗３が葬祭施設２に支払うバックマージンＢＭが計算される。まず、総合計金額ＭＴにバックマージン率αが掛けられて、バックマージンＢＭが演算される（ステップＳ３０１）。この場合、小数点以下は四捨五入として、バックマージンＢＭが必ず整数となるようにする。また、バックマージン率αは、各種店舗３と葬祭施設２の間で予め契約により定められた数字で、具体的には数％〜十数％程度となるのが普通であると思われる。また、このバックマージン率αは、各種店舗３のすべてにおいて同じ数字であっても良いし、各種店舗３毎に異なった数字でも良い。
【０１０２】
契約上の解釈としては、このバックマージン率αは、各種店舗３が葬祭施設２から顧客を紹介してもらう紹介料に当たる。すなわち、各種店舗３は図１に見るように、外周の道路Ｒ１、Ｒ２、Ｒ３に面していて、道路Ｒ１、Ｒ２、Ｒ３からの一般客の需要もあるが、これら一般客は葬祭施設２とは全く関係なく各種店舗３の独自の顧客となるので、紹介料に当たるバックマージンＢＭは発生しない。しかるに、プリペイドカードＰＰ１、ＰＰ２を会計に使用する客は、必ず葬祭施設２にて行われる葬儀に参列した客であるので、これらの客は、各種店舗３が葬祭施設２から紹介された客ということになる。したがって、この場合に、紹介料に当たるバックマージンＢＭを、葬祭施設２は紹介の代償として各種店舗３から受け取るということである。
【０１０３】
具体的には、プリペイドカードＰＰ１、ＰＰ２の代金は喪主が葬祭施設２側に支払うので、各種店舗３は使用者がプリペイドカードＰＰ１、ＰＰ２にて支払った分の金額を予め定められた決算日Ｄ４にまとめて葬祭施設２に請求することになるが、この際、紹介料にあたるバックマージンＢＭを予め差し引いた額を請求する。そのためのバックマージンＢＭを計算するのがステップ３（Ｓ３）である。
【０１０４】
ステップＳ３０１にてバックマージンＢＭが計算されると、次のステップＳ３０２において、総合計金額ＭＴからバックマージンＢＭを引いた金額が演算され、これが、各種店舗３に実際に入金される入金金額ＭＩとなる。この入金金額ＭＩとバックマージンＢＭは売上げファイルＦＳに転送される（ステップＳ３０３）。しかるのち、売上げファイルＦＳに転送されているすべてのデータを売上げファイルＦＳに書込む（ステップＳ３０４）。これで、売上げファイルＦＳが確定するので、売上げファイルＦＳはコンピュータＣＰ３１の記憶部に記憶され（このステップは図示せず）、葬祭施設２のコンピュータであるコンピュータＣＰ２に転送される（ステップＳ３０５）。
【０１０５】
次のステップ４（Ｓ４）は、各種店舗３から葬祭施設２への請求のための決算用ファイルＦＴ（ｎ）（ｎは正の整数）を作成するステップである。まず、ステップ４０１において、カード番号ＣＮ、発効日Ｄ１、会計日Ｄ２、有効期限日Ｄ３、決算日Ｄ４、店名コードＳＣ、総合計金額ＭＴ、不足金額ＭＭ、入金金額ＭＩ、バックマージンＢＭが決算用ファイルＦＴ（ｎ）に転送される。決算用ファイルＦＴ（ｎ）がはじめて作成される決算用ファイルである場合には、ｎ＝１となって決算用ファイルＦＴ（１）となる。
【０１０６】
次に、ステップＳ４０２において、先に転送された全てのデータ、すなわち、カード番号ＣＮ、発効日Ｄ１、会計日Ｄ２、有効期限日Ｄ３、決算日Ｄ４、店名コードＳＣ、総合計金額ＭＴ、不足金額ＭＭ、入金金額ＭＩ、バックマージンＢＭが決算用ファイルＦＴ（ｎ）に書込まれる。これにて決算用ファイルＦＴ（ｎ）が確定するので、決算用ファイルＦＴ（ｎ）はコンピュータＣＰ３１の記憶部に記憶され（このステップは図示せず）、葬祭施設２のコンピュータ２に転送される（ステップＳ４０３）。
【０１０７】
次のステップ５（Ｓ５）は、プリペイドカードＰＰ１のカードファイルＦＣに使用後の更新されたデータを書込み、印字領域ＰＲ２に使用後のデータを印字して使用者に返却するステップである。まず、ステップＳ５０１にて残高ＭＺをカードファイルＦＣに転送し、次のステップＳ５０２にて残高ＭＺをカードファイルＦＣに書込む。この書込みは、コンピュータＰＣ３１の指令によって、カードリーダライタＣＲ３１が行う。次に、カードリーダライタＣＲ３１のプリンタ（図示せず）が残高ＭＺをプリペイドカードＰＰ１の印字領域ＰＲ２に印字する（ステップＳ５０３）。さらに、次回印字の準備として、カードファイルＦＣの印事行ＰＬ２に１を足す（ステップＳ５０４）。
【０１０８】
カードファイルＦＣのデータは、残高ＭＺと印事行ＰＬ２以外は使用しても不変であるので、この時点でカードファイルＦＣは確定する。これにより、カードファイルＦＣの全データが、コンピュータＰＣ３１の記憶部に記憶され（このステップは図示せず）、葬祭施設２のコンピュータＰＣ２に転送される（ステップＳ５０５）。これによりプリペイドカードＰＰ１の役割は終了するので、プリペイドカードＰＰ１の排出指令がコンピュータＰＰ１からカードリーダライタＣＲ３１に送られ、プリペイドカードＰＰ１はカードリーダライタＣＲ３１から排出されて（ステップＳ５０６）使用者に返却される。これにて、プリペイドカードＰＰ１を用いる全ステップ（Ｓ１〜Ｓ５）は終了する。
【０１０９】
次に、図１５に示すステップ６にては、コンピュータＣＰ３１の内部にて複数の決算用ファイルＦＴ（ｎ）から請求用ファイルＦＢが自動的に作成されるプログラムを説明する。決算日Ｄ４にて、営業が終了した時点で、まず、オペレータがコンピュータＣＰ３１のキーボード（図示せず）から、６桁の数字で表される決算日Ｄ４、即ち決算日Ｄ４＝ＹＹ/ＭＭ/ＤＤを打ち込む（ステップＳ６０１）。この際、ＹＹは年をあらわす２桁の数字（例えば２００５年であれば０５）、ＭＭは月をあらわす２桁の数字（例えば８月であれば０８）、ＤＤは日をあらわす２桁の数字（例えば３１日であれば３１）である。すると、コンピュータＣＰ３１の記憶部（図示せず）から請求用ファイルＦＢ（ステップＳ６０２）と最初の決算用ファイルＦＴ（１）（ステップＳ６０３）が読込まれる。なお、決算用ファイルＦＴ（ｎ）は、プリペイドカードＰＰ１の使用者がプリペイドカードＰＰ１を使用する度に１つずつ作成されるので、コンピュータＣＰ３１の記憶領域には、複数の決算用ファイルＦＴ（ｎ）が作成されているが、決算用ファイルＦＴ（１）はその第１番目のファイルである。
【０１１０】
次に、ステップＳ６０４にて決算用ファイルＦＴ（１）にデータがあるか否かが判断される。決算用ファイルＦＴ（１）にデータがない場合には、ステップは後述のステップＳ６１０に飛ぶ。決算用ファイルＦＴ（１）にデータがあった場合には、次のＳ６０５のステップにて、決算用ファイルＦＴ（１）にある決算日Ｄ４が決算日ＹＹ/ＭＭ/ＤＤと一致するか否かが判断される。すなわち、決算日Ｄ４＝決算日ＹＹ/ＭＭ/ＤＤの決算用ファイルＦＴ（ｎ）だけを使用して請求用ファイルＦＢを作成したいので、この判断が行われる。一致しない場合には、ステップＳ６１０に飛ぶ。
【０１１１】
決算用ファイルＦＴ（１）にある決算日Ｄ４が決算日ＹＹ/ＭＭ/ＤＤと一致した場合には処理すべきファイルとみなして、次のステップＳ６０６にて請求用ファイルＦＢの件数ＤＮに１を加算する。件数ＤＮの初期数値が例えば０００（３桁の数字）であれば、決算用ファイルＦＴ（１）は最初のファイルであり、件数ＤＮの数値は００１となる。
【０１１２】
次に、次のステップＳ６０７にて決算用ファイルＦＴ（１）にある入金金額ＭＩを請求用ファイルＦＢの請求金額ＢＡに加算する。請求金額ＢＡの初期数値が例えば０００００００（７桁の数字）で、決算用ファイルＦＴ（１）にある入金金額ＭＩが４００（円）であるとすれば、請求金額ＢＡの欄は００００４００（円）となる。
【０１１３】
以上の様にして決算用ファイルＦＴ（１）の処理が終了すると、次に決算用ファイルＦＴ（２）を読込む（ステップＳ６０８）。決算用ファイルＦＴ（２）の場合も、まずデータがあるか否かが判断され（ステップＳ６０９）以下の流れは決算用ファイルＦＴ（１）の場合にならう。このようにして、次々と決算日Ｄ４が決算日ＹＹ/ＭＭ/ＤＤと一致するファイルが読込まれ、各ファイルの入金金額ＭＩが請求用ファイルＦＢの請求金額ＢＡに加算されていく。なお、この場合、前のステップ３（Ｓ３）にて明らかなように、各決算用ファイル（ｎ）の入金金額ＭＩは既にバックマージンＢＭが差し引かれた額であるので、請求金額ＢＡは各種店舗３が純粋に葬祭施設２に対して請求を行う金額となる。
【０１１４】
決算用ファイルＦＴ（ｎ）が次々と読込まれて、処理されていくうちに、決算日Ｄ４が決算日ＹＹ/ＭＭ/ＤＤと一致しないファイルが現れると、ループが中断されてステップＳ６１０に移る。即ち、決算日Ｄ４が決算日ＹＹ/ＭＭ/ＤＤより小のファイルが現れた場合には、そのファイルは既に前回の決算日に決算済みのファイルであるとみなす（決算済みファイルの誤混入の予防）。また、決算日Ｄ４が決算日ＹＹ/ＭＭ/ＤＤより大のファイルが現れた場合には、そのファイルは次回の決算日に決算予定のファイルであるとみなす。
【０１１５】
決算日Ｄ４当日に決算日ＹＹ/ＭＭ/ＤＤが入力された場合には決算日Ｄ４が決算日ＹＹ/ＭＭ/ＤＤより大のファイルは現れないが、例えばオペレータが決算日Ｄ４の翌日以降に決算日ＹＹ/ＭＭ/ＤＤを入力した場合には、決算日ＹＹ/ＭＭ/ＤＤより大のファイルが現れる可能性があるので、それらのファイルは次回の決算に回すものとしてステップＳ６０５において処理のループから外される。
【０１１６】
ステップＳ６１０にて、他に決算用ファイルＦＴ（ｎ）があれば、ループでステップＳ６０８に戻って残りのファイルを順次読込んでいく。他に決算用ファイルＦＴ（ｎ）がなくなれば、決算用ファイルＦＴ（ｎ）の処理は終了したものとみなし、ステップＳ６１１にて決算日ＹＹ/ＭＭ/ＤＤを請求用ファイルＦＢの決算日Ｄ４に転送する。次に、ステップＳ６１２にて、店名コードＳＣ、請求金額ＢＡ、件数ＤＮを請求用ファイルＦＢの各記憶領域に転送し、ステップＳ６１３にて、決算日ＹＹ/ＭＭ/ＤＤ、店名コードＳＣ、請求金額ＢＡ、件数ＤＮを請求用ファイルＦＢの各記憶領域に書込む。これで、請求用ファイルＦＢが確定するので、請求用ファイルＦＢはコンピュータＣＰ３１の記憶部に記憶され（このステップは図示せず）、ステップＳ６１４にて葬祭施設２のコンピュータＣＰ２に転送される。これが、即ち、レストラン３１から葬祭施設２に対する請求書の発行となる。
【０１１７】
このように、各種店舗３から葬祭施設２に対する請求書は、請求用ファイルＦＢの転送という形で電子的に発行されるが、事務処理手続き上、印鑑のある請求書が必要な場合には、とりあえず請求用ファイルＦＢを電子的に転送しておいて、改めて請求用ファイルＦＢを請求書として紙に出力して提出しても良い。この点は、各種店舗３と葬祭施設２の間の契約によって定めることができる。
【０１１８】
請求用ファイルＦＢにおける請求金額ＢＡは、前述のように既にバックマージンＢＭ分が差し引かれた金額となっているので、葬祭施設２は請求金額ＢＡを各種店舗３の銀行口座に振り込む。これにて、全ての決済は完了される。なお、図１５にて、ステップＳ６０４にて最初の決算用ファイルＦＴ（１）にデータが存在しない場合には、流れはＳ６１０に行き、以後の流れは上述のとおりとなる。もし、最初の決算用ファイルＦＴ（１）にデータが存在せず、他に決算用ファイルＦＴ（ｎ）が存在しない場合には、請求金額ＢＡは０、件数ＤＮも０のままの請求用ファイルＦＢが葬祭施設２のコンピュータＣＰ２に転送される。即ち、決算日Ｄ４における請求金額０の請求書が発行されたことになるものである。
【０１１９】
なお、請求用ファイルＦＢには、請求書の項目別明細に当たる部分が欠けているが、この点は、図１４のステップ３〜５（Ｓ３〜Ｓ５）において明らかなように、プリペイドカードＰＰ１あるいはＰＰ２が使用される度に、売上げファイルＦＳ、決算用ファイルＦＴ（ｎ）、カードファイルＦＣが各種店舗３のコンピュータＣＰ３１〜３７より葬祭施設２のコンピュータＣＰ２に転送されているので、これらの売上げファイルＦＳ、決算用ファイルＦＴ（ｎ）、カードファイルＦＣが項目別明細あるいは納品書の代用となっている。したがって、葬祭施設２の側においても、コンピュータＣＰ２において決算用ファイルＦＴ（ｎ）を用いて図１５に示すステップ６（Ｓ６）と同じ処理を行うことにより、請求用ファイルＦＢを作成することができるので、各種店舗３から転送されてきた請求用ファイルＦＢとコンピュータＣＰ２において作成した請求用ファイルＦＢを照合することにより、簡単に各種店舗３から転送されてきた請求用ファイルＦＢの精査を行うことができるものである。
【０１２０】
また、各種店舗３から転送されてくる売上げファイルＦＳ、決算用ファイルＦＴ（ｎ）、カードファイルＦＣにより、葬祭施設２の側においても、各種店舗３における各商品毎の販売実績を明快に把握することができる。この点は、各種店舗３の側においては、今後の商品構成やイベント開催等のヒントとして大きく役立つものであるが、葬祭施設２側にとっても、どの葬儀の参列者がどのような店でどのような物をどのくらい買ったか、そして、発行したプリペイドカードＰＰ１、ＰＰ２がどのように使用されたかが明快に把握できるので、将来的な店舗の構成、各店舗の適切な平米数の検討、そして配置方法の検討等、施設全体の構成のさまざまな検討に大いに役立てうるものである。特に、プリペイドカードＰＰ１は男性用、プリペイドカードＰＰ２は女性用として発行できるので、男女の違いによる買い物行動の差をデータとして蓄積できる点が、一般的なプリペイドカードとは異なるユニークな特徴である。
【０１２１】
すなわち、一般的なプリペイドカードでは、男性用と女性用を別々に発行するということは、男女平等の観点等のさまざまな制約があって困難であるが、本発明の複合葬祭施設１において用いられるプリペイドカードＰＰ１、ＰＰ２は、葬儀参列者用の香典返しとして受付にて参列者の帰宅時に手渡すという特殊事情によって、参列者に不快感を抱かせることなく男性用のプリペイドカードＰＰ１と女性用のプリペイドカードＰＰ２を手渡すことが可能である。この場合、参列者はプリペイドカードＰＰ１、ＰＰ２を自ら買うのではなく無料でもらうという事情、及び、男性用と女性用があるということも、一寸した葬儀の際の演出と受け取られることが可能なので、上記のように男女別々のカードを発行するということが可能となるのである。
【０１２２】
プリペイドカードＰＰ１、ＰＰ２の使用者が、プリペイドカードＰＰ１、ＰＰ２を使用し終えたときには、使用者は、図１、図１０ｂに示すカード回収機ＣＥのカード挿入口ＣＥ２に使用済みのプリペイドカードＰＰ１、ＰＰ２を挿入する。すると、カード回収機ＣＥのカード挿入口ＣＥ２に設けられたカードリーダライタＥＣＲがカード挿入口ＣＥ２に挿入されたプリペイドカードＰＰ１、ＰＰ２のカード番号ＣＮを電気通信回線ｎ（図８参照）を通じて葬祭施設２のコンピュータＣＰ２に転送した後、カード番号ＣＮの記憶領域に葬祭施設２が予め定めた廃棄カードを意味するデータを書込む。廃棄カードを意味するデータは任意に定めることができるが、一例として任意に組み合わせた数字とアルファベットの列等を用いることができる。
【０１２３】
なお、上にいう、プリペイドカードＰＰ１、ＰＰ２の使用者がプリペイドカードＰＰ１、ＰＰ２を使用し終えたときとは、残額ＭＺが０となったとき、あるいは使用日が有効期限日Ｄ３を過ぎたとき、あるいは使用者がプリペイドカードＰＰ１、ＰＰ２を使用する意思を放棄したときである。すなわち、残額ＭＺが０でなく、使用日が有効期限日Ｄ３以前であっても、使用者が複合葬祭施設１を離れなければならない時間が迫っており、しかも有効期限日Ｄ３以前に再度複合葬祭施設１を訪れる機会がないものと判断したときには、使用者はプリペイドカードＰＰ１、ＰＰ２の使用を断念する場合がある。
【０１２４】
カード回収機ＣＥにてプリペイドカードＰＰ１、ＰＰ２を回収することにより、葬祭施設２の側では、回収されたプリペイドカードＰＰ１、ＰＰ２に関しては、その発行から回収までの全履歴を把握することが可能となる。また、カード挿入口ＣＥ２を通過したプリペイドカードＰＰ１、ＰＰ２のカードファイルＦＣのカード番号ＣＮの記憶領域には、葬祭施設２が予め定めた廃棄カードを意味する上記データが書込まれるので、回収されたプリペイドカードＰＰ１、ＰＰ２が再利用される惧れがなくなる。
【０１２５】
現実には、発行されたプリペイドカードＰＰ１、ＰＰ２の総てがカード回収機ＣＥに回収されるとは限らず、使用者が持ち帰ったり、あるいは別の場所に廃棄されるプリペイドカードＰＰ１、ＰＰ２も相当程度発生することが予想される。したがって、カード回収機ＣＥを、図１に見るように、手洗所ＷＨに添接させて設けることとしたものである。
【０１２６】
葬儀の参列者は、複合葬祭施設１を離れるにあたって、最寄に手洗所ＷＨがあれば心理的にそこで手を洗い、口を漱いで身を清めたくなるのが自然である。したがって、手洗所ＷＨにて手を洗い、口を漱ぐ動作をするうちに傍らにあるカード回収機ＣＥに気づき、使用済みで価値の無くなったプリペイドカードＰＰ１、ＰＰ２を持ち帰るよりもこの場でカード回収機ＣＥに投入せんとするのもまた自然な心の動きである。このように、葬儀の参列者の心理状態を契機としてプリペイドカードＰＰ１、ＰＰ２の回収率を高めんとするために、カード回収機ＣＥを手洗所ＷＨに添接させて設置するものである。
【０１２７】
このように、本発明においては、一見関連のなさそうな水路６、池６１〜６８、手洗所ＷＨの設置とプリペイドカードＰＰ１、ＰＰ２の回収を受け持つカード回収機ＣＥの配置が葬儀参列者の心理の動きにあわせて関連付けられており、また、水路６と中庭４１〜４３が葬祭施設２と各種店舗３を適当な距離を隔てながらも結びつける役割を果たしている。プリペイドカードを用いるカード決済システムは、このような複合葬祭施設１の物理的空間構成に支えられて、プリペイドカードの発行から回収まで、さらにはプリペイドカードの機能全体が支えられているものであり、複合葬祭施設におけるカード決済システムとしての独自の作用効果を有するものである。
【産業上の利用可能性】
【０１２８】
叙上のように、本発明の複合葬祭施設は、中心をなす葬祭施設と周辺の各種店舗が、同一敷地内にあって中庭を挟んで水路にて結ばれているという物理的、空間的な結びつきと、両者がプリペイドカードシステムによって結ばれているという電子的な結びつきの双方が相俟って特有の効果、すなわち、葬祭施設にとっては物品の調達に便利で紹介料としてのバックマージンが入り、各種店舗にとっては葬祭施設の参列者と一般客の２系統の客筋を有することができ、また喪主にとっては後日の香典返しの件にて頭を悩ませることがなくなり、さらに参列者にとっては、香典返しの品物を自分の好みの物品やサービスで受け取れるという、葬祭施設、各種店舗、喪主、参列者の総てにおいて大きなメリットを有する発明であり、これからの葬祭施設の新しいあり方として、社会的に大きな意義を有するものであると確信するものである。
【図面の簡単な説明】
【０１２９】
【図１】本発明の複合葬祭施設の実施例１の１階部分を簡略化して示す平面図である。
【図２】本発明の複合葬祭施設の実施例１の２階部分を簡略化して示す平面図である。
【図３】本発明の複合葬祭施設の実施例１の３階部分を簡略化して示す平面図である。
【図４】本発明の複合葬祭施設の実施例１の４階部分を簡略化して示す平面図である。
【図５】本発明の複合葬祭施設の実施例１を１方向から見た状態を簡略化して示す立面図である。
【図６】本発明の複合葬祭施設の実施例１を別の方向から見た状態を簡略化して示す立面図である。
【図７】本発明の複合葬祭施設の実施例１をさらに別の方向から見た状態を簡略化して示す立面図である。
【図８】本発明の複合葬祭施設の実施例１におけるカード決済システムの代表的なハードウェア資源の構成を説明するブロック図である。
【図９】（ａ）本発明の複合葬祭施設の実施例１におけるカード決済システムにおいて用いられるプリペイドカードの表面の１例の説明図である。（ｂ）本発明の複合葬祭施設の実施例１におけるカード決済システムにおいて用いられるプリペイドカードの表面の別の例を説明する説明図である。（ｃ）本発明の複合葬祭施設の実施例１におけるカード決済システムにおいて用いられるプリペイドカードの裏面の１例の説明図である。
【図１０】（ａ）本発明の複合葬祭施設の実施例１におけるカード決済システムにおいて用いられるカード発行機の外観斜視図である。    （ｂ）本発明の複合葬祭施設の実施例１におけるカード決済システムにおいて用いられるカード回収機の外観斜視図である。
【図１１】（ａ）本発明の複合葬祭施設の実施例１におけるカード決済システムのファイルの構成を説明する説明図である。    （ｂ）本発明の複合葬祭施設の実施例１におけるカード決済システムのファイルの構成を説明する説明図である。    （ｃ）本発明の複合葬祭施設の実施例１におけるカード決済システムのファイルの構成を説明する説明図である。    （ｄ）本発明の複合葬祭施設の実施例１におけるカード決済システムのファイルの構成を説明する説明図である。
【図１２】本発明の複合葬祭施設の実施例１におけるカード決済システムのプログラムの一部の構成を説明する流れ図である。
【図１３】本発明の複合葬祭施設の実施例１におけるカード決済システムのプログラムの一部の構成を説明する流れ図である。
【図１４】本発明の複合葬祭施設の実施例１におけるカード決済システムのプログラムの一部の構成を説明する流れ図である。
【図１５】本発明の複合葬祭施設の実施例１におけるカード決済システムのプログラムの一部の構成を説明する流れ図である。
【符号の説明】
【０１３０】
１      複合葬祭施設
１１    敷地
２      葬祭施設
３      各種店舗
３１    レストラン
３２    多目的ホール
３３    生花店
３４    ノベルティ雑貨店
３５    食料品店
３６    喫茶店
３７    コンビニエンスストア
４      中庭
４１    中庭
４２    中庭
４３    中庭
４４    前庭
４４ａ  搬入用トラックヤード
４５    前庭
４５ａ  搬入用トラックヤード
４６    前庭
４６ａ  駐車場兼搬入用トラックヤード
４７ａ  通路
４７ｂ  通路
４７ｃ  通路
５１    植え込み
５２    車両入口
５３    車両出口
５４    地下駐車場入口
５５    地下駐車場出口
５６    タクシーヤード
５７    車寄せ
６      水路
６１    池
６２    池
６３    池
６４    池
６５    池
６６    池
６７    池
６８    池
ＢＡ    請求金額
ＢＭ    バックマージン
ＢＳ    控室
ＣＥ    カード回収機
ＣＥ１  本体
ＣＥ２  カード挿入口
ＣＥ３  庇
ＣＬ１  色面
ＣＬ２  色面
ＣＮ    カード番号
ＣＰ２  コンピュータ
ＣＰ３１  コンピュータ
ＣＰ３２  コンピュータ
ＣＰ３３  コンピュータ
ＣＰ３４  コンピュータ
ＣＰ３５  コンピュータ
ＣＰ３６  コンピュータ
ＣＰ３７  コンピュータ
ＣＲ３１  カードリーダライタ
ＣＲ３２  カードリーダライタ
ＣＲ３３  カードリーダライタ
ＣＲ３４  カードリーダライタ
ＣＲ３５  カードリーダライタ
ＣＲ３６  カードリーダライタ
ＣＲ３７  カードリーダライタ
ＣＳ    カード発行機
ＣＳ１  本体
ＣＳ２  発行口
ＣＳ３  発行口
ＣＳ４  ボタン
ＣＳ５  ボタン
Ｄ１    発行日
Ｄ２    会計日
Ｄ３    有効期限日
Ｄ４    決算日
ＤＮ    件数
Ｅ１    正面玄関
Ｅ２    出入口
Ｅ３    出入口
Ｅ４    出入口
Ｅ５    出入口
Ｅ６    出入口
Ｅ７    出入口
Ｅ８    出入口
Ｅ９    出入口
Ｅ１０  出入口
Ｅ１１  出入口
Ｅ１２  出入口
Ｅ１３  出入口
Ｅ１４  出入口
Ｅ１５  出入口
Ｅ１６  出入口
Ｅ１７  出入口
Ｅ１８  出入口
Ｅ１９  出入口
ＥＣＲ  カードリーダライタ
ＥＶ    エレベータ
Ｆ１    泉
Ｆ２    泉
ＦＢ    請求用ファイル
ＦＣ    カードファイル
ＦＳ    売上げファイル
ＦＴ１  決算用ファイル
ＦＴ２  決算用ファイル
ＧＥ    性別
ＩＴ    商品テーブル
Ｉｄ    単価
Ｉｍ    合計金額
Ｉｎ    商品番号
Ｉｓ    個数
Ｋ１    額面金額
Ｋ２    額面金額
Ｍ      磁気記憶部
Ｍ２    モニタ
Ｍ３１  モニタ
Ｍ３２  モニタ
Ｍ３３  モニタ
Ｍ３４  モニタ
Ｍ３５  モニタ
Ｍ３６  モニタ
Ｍ３７  モニタ
ＭＣ    機械室
ＭＩ    入金金額
ＭＭ    不足金額
ＭＴ    総合計金額
ＭＺ    残額
ＮＮ    名称
ＰＬ１  印字行
ＰＬ２  印字行
ＰＰ１  プリペイドカード
ＰＰ２  プリペイドカード
ＰＲ１  印字領域
ＰＲ２  印字領域
ＱＴ    給湯室
Ｒ      隣接区画
Ｒ１    外周道路
Ｒ２    外周道路
Ｒ３    外周道路
ＲＢ    ロビー
ＲＧ３１  レジスタ
ＲＧ３２  レジスタ
ＲＧ３３  レジスタ
ＲＧ３４  レジスタ
ＲＧ３５  レジスタ
ＲＧ３６  レジスタ
ＲＧ３７  レジスタ
Ｓ１    ステップ
Ｓ１０１  ステップ
Ｓ１０２  ステップ
Ｓ１０３  ステップ
Ｓ１０４  ステップ
Ｓ１０５  ステップ
Ｓ１０６  ステップ
Ｓ１０７  ステップ
Ｓ１０８  ステップ
Ｓ１０９  ステップ
Ｓ２    ステップ
Ｓ２０１  ステップ
Ｓ２０２  ステップ
Ｓ２０３  ステップ
Ｓ２０４  ステップ
Ｓ２０５  ステップ
Ｓ２０６  ステップ
Ｓ２０７  ステップ
Ｓ２０８  ステップ
Ｓ２０９  ステップ
Ｓ２１０  ステップ
Ｓ２１１  ステップ
Ｓ２１２  ステップ
Ｓ３    ステップ
Ｓ３０１  ステップ
Ｓ３０２  ステップ
Ｓ３０３  ステップ
Ｓ３０４  ステップ
Ｓ３０５  ステップ
Ｓ４    ステップ
Ｓ４０１  ステップ
Ｓ４０２  ステップ
Ｓ４０３  ステップ
Ｓ５    ステップ
Ｓ５０１  ステップ
Ｓ５０２  ステップ
Ｓ５０３  ステップ
Ｓ５０４  ステップ
Ｓ５０５  ステップ
Ｓ５０６  ステップ
Ｓ６    ステップ
Ｓ６０１  ステップ
Ｓ６０２  ステップ
Ｓ６０３  ステップ
Ｓ６０４  ステップ
Ｓ６０５  ステップ
Ｓ６０６  ステップ
Ｓ６０７  ステップ
Ｓ６０８  ステップ
Ｓ６０９  ステップ
Ｓ６１０  ステップ
Ｓ６１１  ステップ
Ｓ６１２  ステップ
Ｓ６１３  ステップ
Ｓ６１４  ステップ
ＳＣ    店名コード
ＳＣＷ  カードライタ
ＳＨ１  斎場
ＳＨ２  斎場
ＳＨ３  斎場
ＴＭ    会計時刻
ＷＣ    トイレ
ＷＨ    手洗所
ｎ      電気通信回線
α      バックマージン率
【図５】
2007140636.tif 000003
【図６】
2007140636.tif 000004
【図７】
2007140636.tif 000005
【図８】
2007140636.tif 000006
【図１０】
2007140636.tif 000007
【図１１】
2007140636.tif 000008
【図１２】
2007140636.tif 000009
【図１３】
2007140636.tif 000010
【図１４】
2007140636.tif 000011
【図１５】
2007140636.tif 000012
【図１】
2007140636.tif 000013
【図２】
2007140636.tif 000014
【図３】
2007140636.tif 000015
【図４】
2007140636.tif 000016
【図９】
2007140636.tif 000017